(57)【特許請求の範囲】
【請求項１】
電力バスウェイインターポーザを備える装置であって、
前記電力バスウェイインターポーザは、少なくとも２つの個別の電力バスウェイセグメント同士を結合し、前記結合された電力バスウェイセグメントの少なくとも１つを前記結合された電力バスウェイセグメントの個別の通電中の電力バスウェイセグメントを介して選択的に通電するように構成され、前記電力バスウェイインターポーザは、
少なくとも２つの個別の電力バスウェイコネクタであって、前記電力バスウェイコネクタは、第１の電力バスウェイコネクタ及び第２の電力バスウェイコネクタを含み、前記第１の電力バスウェイコネクタは、前記少なくとも２つの個別の電力バスウェイセグメントのうちのある個別の電力バスウェイセグメントと結合するように構成され、前記第２の電力バスウェイコネクタは、前記少なくとも２つの個別の電力バスウェイセグメントのうちの他の個別の電力バスウェイセグメントと結合するように構成される、前記少なくとも２つの個別の電力バスウェイコネクタと、
前記第１の電力バスウェイコネクタ及び第２の電力バスウェイコネクタに結合された閉位置または開位置を含む位置に調整可能なスイッチングデバイスであって、前記閉位置において前記第１の電力バスウェイコネクタ及び第２の電力バスウェイコネクタを選択的に電気的に結合して、前記結合された電力バスウェイセグメントの前記個別の通電中の電力バスウェイセグメントを介して前記結合された電力バスウェイセグメントの前記少なくとも１つを選択的に電気的に結合するように構成され、前記開位置は前記第１の電力バスウェイコネクタを第２の電力バスウェイコネクタから電気的に分離し、前記結合された電力バスウェイセグメントのうちの前記個別の通電中の電力バスウェイセグメントを介して少なくとも前記電力バスウェイセグメントのうちの１つから他の前記電力バスウェイセグメントへ電力が配分されることを妨げるための位置である、前記スイッチングデバイスと、
を備える、前記装置。
【請求項２】
前記少なくとも２つの個別の電力バスウェイコネクタのそれぞれは、前記少なくとも２つの個別の電力バスウェイセグメントの個別の電力バスウェイセグメントの端部にスライド可能に挿入されて、前記個別の電力バスウェイセグメントの少なくとも１つの母線とスライド可能に係合するように構成されて、前記電力バスウェイインターポーザが、前記電力バスウェイインターポーザが結合される前記少なくとも２つの個別の電力バスウェイセグメントの隣り合う端部間に少なくとも部分的に延在する、
請求項１に記載の装置。
【請求項３】
前記電力バスウェイインターポーザは、
少なくとも２つの個別のタップボックスアセンブリであって、それぞれ、前記少なくとも２つの個別の電力バスウェイコネクタの個別の１つを備え、電力バスウェイセグメントと結合して、前記個別の電力バスウェイコネクタを前記電力バスウェイセグメントの少なくとも１つの母線に結合させるように構成される、前記少なくとも２つの個別のタップボックスアセンブリと、
前記少なくとも２つの個別のタップボックスアセンブリ間に少なくとも部分的に延びる少なくとも１つの電圧供給線と、
を備え、
前記少なくとも２つの個別の電力バスウェイコネクタを介して前記少なくとも２つの個別の電力バスウェイセグメント間の電力配分を選択的に可能にするために、前記電力バスウェイインターポーザは、
前記少なくとも２つの個別のタップボックスアセンブリのそれぞれを前記少なくとも２つの個別の電力バスウェイセグメントの個別の１つに各電力バスウェイコネクタを介して結合し、
前記個別のタップボックスアセンブリと前記少なくとも１つの電圧供給線とを介して、前記少なくとも２つの個別の電力バスウェイセグメントを選択的に電気的に結合する
ように構成される、請求項１または２に記載の装置。
【請求項４】
前記電圧供給線は、電力ケーブルを含み、前記電力ケーブルは、前記少なくとも２つの個別のタップボックスアセンブリ同士を結合し、１つのタップボックスアセンブリから他のタップボックスアセンブリに電力を配分するように構成される、
請求項３に記載の装置。
【請求項５】
前記電圧供給線は、前記少なくとも２つの個別の電力バスウェイセグメントの少なくとも１つによって運ばれる電力供給の全てを実質的に運ぶように構成される、請求項３または４に記載の装置。
【請求項６】
前記少なくとも２つの個別の電力バスウェイセグメントの隣り合う端部に取り付けられて、前記少なくとも２つの個別の電力バスウェイセグメントの前記隣り合う端部間の電気アークを防ぐように構成された絶縁要素を備える、
請求項３〜５のいずれか１項に記載の装置。
【請求項７】
前記電力バスウェイインターポーザは、前記少なくとも１つの電力バスウェイセグメントの通電の前に、前記電力バスウェイコネクタの少なくとも１つを介して、前記少なくとも２つの電力バスウェイセグメントの少なくとも１つの電力バスウェイセグメントの端部に結合され、
前記電力バスウェイコネクタの少なくとも他の１つは、前記電力バスウェイコネクタの前記少なくとも１つに前記スイッチングデバイスを介して結合され、
前記少なくとも２つの個別の電力バスウェイセグメントを前記少なくとも２つの個別の電力バスウェイコネクタを介して選択的に電気的に結合するために、前記電力バスウェイインターポーザは、
前記少なくとも１つの電力バスウェイセグメントを通電し、前記スイッチングデバイスを開位置にするのと同時に、前記電力バスウェイコネクタの前記少なくとも他の１つを他の少なくとも１つの電力バスウェイセグメントの他の端部に結合し、
前記電力バスウェイコネクタの前記少なくとも他の１つを前記他の少なくとも１つの電力バスウェイセグメントの他の端部に結合した後、前記スイッチングデバイスを閉位置に調整可能に位置させて、前記通電中の少なくとも１つの電力バスウェイセグメントを前記他の少なくとも１つの電力バスウェイセグメントに電気的に結合する
ように構成される、
請求項１〜６のいずれか１項に記載の装置。
【請求項８】
前記電力バスウェイインターポーザは、通路空間に少なくとも１セットの電気負荷を設置するのと同時に、少なくとも２つの個別の電力バスウェイセグメント同士を電気的に結合して電力バスウェイアセンブリを延長し、前記少なくとも１セットの電気負荷への電力配分を可能にするように構成される、
請求項１〜７のいずれか１項に記載の装置。
【請求項９】
通電中の電力バスウェイアセンブリを増分的に延長させるように電力バスウェイインターポーザを構成することを含む方法であって、前記通電中の電力バスウェイアセンブリは、少なくとも１つの電力バスウェイセグメントを含み、前記電力バスウェイインターポーザは、近位電力バスウェイコネクタ、遠位電力バスウェイコネクタ、及び、前記近位電力バスウェイコネクタと前記遠位電力バスウェイコネクタを選択的に電気的に結合するように構成されたスイッチングデバイスを含み、前記構成することは、
前記電力バスウェイインターポーザの前記近位電力バスウェイコネクタを前記少なくとも１つの電力バスウェイセグメントに結合することと、
前記近位電力バスウェイコネクタを前記少なくとも１つの電力バスウェイセグメントに結合した後、前記少なくとも１つの電力バスウェイセグメントから非通電の追加の電力バスウェイセグメントに前記遠位電力バスウェイコネクタを介して電力が配分されることを妨げるように前記遠位電力バスウェイコネクタを前記近位電力バスウェイコネクタから電気的に分離するように前記スイッチングデバイスを位置させるのと同時に、前記遠位電力バスウェイコネクタを非通電の前記追加の電力バスウェイセグメントに結合することと、
前記遠位電力バスウェイコネクタを非通電の前記追加の電力バスウェイセグメントに結合させた後、前記スイッチングデバイスを調整可能に位置させて、前記近位電力バスウェイコネクタと前記遠位電力バスウェイコネクタを前記少なくとも１つの電力バスウェイセグメントから前記追加の電力バスウェイセグメントに前記遠位電力バスウェイコネクタを介して電力を配分できるように電気的に結合させることと、
を含む、前記方法。
【請求項１０】
前記近位電力バスウェイコネクタを前記少なくとも１つの電力バスウェイセグメントに結合させた後、
前記スイッチングデバイスを調整可能に位置させて、前記遠位電力バスウェイコネクタを前記近位電力バスウェイコネクタから電気的に分離することと、
前記少なくとも１つの電力バスウェイセグメントを、
前記近位電力バスウェイコネクタが前記少なくとも１つの電力バスウェイセグメントから電力を受け取り、
前記スイッチングデバイスを介して前記近位電力バスウェイコネクタから電気的に分離された前記遠位電力バスウェイコネクタが、非通電にされるように、
通電することと、
を含む、請求項９に記載の方法。
【請求項１１】
前記近位電力バスウェイコネクタを前記少なくとも１つの電力バスウェイセグメントに結合すること、及び、前記追加の電力バスウェイセグメントを前記遠位電力バスウェイコネクタに結合することは、少なくとも１つの電力バスウェイコネクタを個別のバスウェイセグメントの端部に挿入して、前記少なくとも１つの電力バスウェイコネクタを前記各電力バスウェイセグメントの内部空間の少なくとも１つの母線とスライド可能に係合させることを含む、
請求項９または１０に記載の方法。
【請求項１２】
前記電力バスウェイインターポーザは、
少なくとも２つの個別のタップボックスアセンブリであって、それぞれ、前記近位電力バスウェイコネクタと前記遠位電力バスウェイコネクタの各１つを備え、個別の電力バスウェイセグメントと結合して、前記各電力バスウェイコネクタを前記各電力バスウェイセグメントの少なくとも１つの母線に係合させるように構成される、前記少なくとも２つの個別のタップボックスアセンブリと、
前記少なくとも２つのタップボックスアセンブリ間に少なくとも部分的に延びる少なくとも１つの電圧供給線と、
を備え、
前記近位電力バスウェイコネクタを前記少なくとも１つの電力バスウェイセグメントに結合することは、前記近位電力バスウェイコネクタを備えるタップボックスアセンブリを前記少なくとも１つの電力バスウェイセグメントに結合することを含み、
前記追加の電力バスウェイセグメントを前記遠位電力バスウェイコネクタに結合することは、前記遠位電力バスウェイコネクタを含む他の前記個別のタップボックスアセンブリを前記追加の電力バスウェイセグメントに結合することを含む、
請求項９〜１１のいずれか１項に記載の方法。
【請求項１３】
前記電圧供給線は、前記個別のタップボックスアセンブリ同士を電気的に結合するように構成された電力ケーブルを含んで、前記電力バスウェイインターポーザが、前記少なくとも１つの電力バスウェイセグメントから前記追加の電力バスウェイセグメントに前記電力ケーブルを介して電力を配分する、
請求項１２に記載の方法。
【請求項１４】
絶縁要素を前記少なくとも１つの電力バスウェイセグメントの端部に取り付けることと、
前記追加の電力バスウェイセグメントを前記遠位電力バスウェイコネクタに結合する前に、前記追加の電力バスウェイセグメントの端部を前記絶縁要素に取り付けて、前記絶縁要素が、前記少なくとも１つの電力バスウェイセグメントと前記追加の電力バスウェイセグメントとの隣り合う端部間の電気アークを防ぐように構成されることと、
を含む、請求項１２または１３に記載の方法。
【請求項１５】
前記電圧供給線は、前記少なくとも１つの電力バスウェイセグメントと前記追加の電力バスウェイセグメントの少なくとも１つによって運ばれる電力供給の全てを実質的に運ぶように構成される、請求項１２〜１４のいずれか１項に記載の方法。
【発明の詳細な説明】
【背景技術】
【０００１】
オンライン小売業者、インターネットサービスプロバイダ、検索プロバイダ、金融機関、大学、及び、他のコンピューティング集約型組織等の組織は、大規模なコンピュータ施設からコンピュータ操作を行うことが多い。このようなコンピュータ施設は、組織の運営を行うのに必要なデータを処理、記憶、及び、交換するために大量のサーバ、ネットワーク、及び、コンピュータ機器を収容、保管している。一般的に、コンピュータ施設のコンピュータ室は、サーバラックを含み得る多くのコンピュータラックを備える。次に、各コンピュータラックは、多くのコンピュータシステム、サーバ、関連するコンピュータ機器等を含み得る。
コンピュータ施設のコンピュータ室は、多数のサーバを備え得るので、コンピュータ施設稼働のために大量の電力を必要とする場合がある。さらに、電力は、コンピュータ室全体にわたる多数の場所（例えば、互いに離れた多くのラック、及び各ラックの多くのサーバ）に配分される。通常、施設は、相対的に高い電圧で電力供給を受ける。この電力供給は、低い電圧（例えば、２０８Ｖ）に下げられる。ケーブル、母線、電源コネクタ、及び、電力配分装置のネットワークを用いて、施設内の多くの特定のコンポーネントにその低い電圧で電力を届ける。
【０００２】
任意の所与のデータセンタに必要なコンピュータ能力の量はビジネス需要の影響で急速に変化し得る。ある場所でコンピュータ能力を向上させる需要があることが、ほとんどである。最初にデータセンタにコンピュータ能力を提供し、データセンタの既存の能力を（例えば、追加のサーバという形で）拡張することは、資源集約的であり、実施するのに何か月もかかる場合がある。データセンタの設計と構築（または、その拡張）、ケーブルの配線、ラック、エンクロージャ、及び、そこから廃熱を除去するための冷却ステムの設置のために、かなりの時間と資源が一般に必要となる。電気システムやＨＶＡＣシステム等の検査を行い、証明や認可を得るために、追加の時間及び資源が一般に必要である。
【図面の簡単な説明】
【０００３】
【図１】ある実施形態によるとによると、結合された電力バスウェイセグメントからなる電力バスウェイアセンブリが、少なくとも部分的に延在し、タップボックスアセンブリを介して様々なラックコンピュータシステムに電力支援を提供するコンピュータ室の概略斜視図である。
【図２】ある実施形態によるとによると、個別の電力バスウェイセグメントと、その電力バスウェイセグメントを結合する電力バスウェイインターポーザとを備える電力バスウェイアセンブリの概略斜視図である。
【図３】図３Ａ及び図３Ｂは、ある実施形態によるとによると、個別の電力バスウェイコネクタセットとスイッチングデバイスとを介して、個別の電力バスウェイセグメントを結合する電力バスウェイインターポーザを示す。
【図４】ある実施形態によるとによると、通電中の電力バスウェイセグメントと電力バスウェイインターポーザとを示し、電力バスウェイインターポーザは、結合されたタップボックスアセンブリを介して電気負荷への電力配分を維持しながら、通電中の電力バスウェイセグメントを非通電の電力バスウェイセグメントに結合する、概略図である。
【図５】図５Ａ及び図５Ｂは、ある実施形態によると、電圧供給線によって結合された個別のタップボックスアセンブリであって、個別の電力バスウェイセグメントに結合してタップボックスアセンブリと電圧供給線とを介した電力バスウェイセグメント間の電力の配分を可能にするタップボックスアセンブリを備える、電力バスウェイインターポーザを示す。
【図６】ある実施形態によると、スイッチングデバイスコンポーネントを介して結合された個別のタップボックスアセンブリであって、個別の電力バスウェイセグメントに結合して、タップボックスアセンブリとスイッチングデバイスコンポーネントとを介した電力バスウェイセグメント間の電力の配分を可能にするタップボックスアセンブリを備える、電力バスウェイインターポーザを示す。
【図７】ある実施形態によると、電気負荷に電力支援を提供するように電力バスウェイアセンブリを構成することと、電気負荷への電力支援を維持しながら、電力バスウェイアセンブリを延長することを示す。
【０００４】
発明は、様々な修正及び変更形態が可能であるが、発明の具体的な実施形態を一例として、図面に示し、本明細書に詳細に記載する。しかしながら、図面及び図面に関する詳細な説明は、開示した特定の形態に発明を限定する意図はなく、逆に、添付の請求項で規定した本発明の精神及び範囲に該当する全ての修正、同等物、及び、代替物を含むものとすることは理解されたい。本明細書で使用する見出しは、体系化のためのみに用いており、明細書や請求項の範囲を限定するために使用する意図はない。本出願書において、「ｍａｙ」という語は、義務的な意味（すなわち、しなければならないことを意味する）ではなく、許容の意味（すなわち、する可能性を有することを意味する）で用いられる。同様に、「ｉｎｃｌｕｄｅ」、「ｉｎｃｌｕｄｉｎｇ」、及び、「ｉｎｃｌｕｄｅｓ」と言う語は、含むが、それに限定されないことを意味する。
【発明を実施するための形態】
【０００５】
通電中の電力バスウェイアセンブリの可逆的調節を可能にする電力バスウェイインターポーザの様々な実施形態を開示する。一実施形態によると、データセンタは、通路空間の一部を通って延在して通路空間の一部にあるラックコンピュータシステム列に電力を配分する電力バスウェイアセンブリと、ラックコンピュータシステム列への電力配分を維持しながら、通路空間の別の部分への電力バスウェイアセンブリの増分的延長を可能にする電力バスウェイインターポーザと、を備える。電力バスウェイアセンブリは、直列に結合された複数の電力バスウェイセグメントを含み、電力バスウェイインターポーザは、アセンブリの遠位端にある通電中の電力バスウェイセグメントに追加のセグメントを結合して、アセンブリを延長できる。電力バスウェイインターポーザは、追加の電力バスウェイセグメントの非通電状態を維持しながら、非通電の追加の電力バスウェイセグメントを通電中の電力バスウェイセグメントに結合することを可能にし、結合された通電中電力バスウェイセグメントを介して、追加の電力バスウェイセグメントをその後に通電するのを可能にする。
【０００６】
一実施形態によると、装置は、個別のバスウェイの１つを通して電力の配分を維持しながら、個別の電力バスウェイセグメント同士を電気的に結合させる電力バスウェイインターポーザを備えて、その１つの結合されたバスウェイを通して結合されたバスウェイの別のバスウェイは、電力を受け取ることができる。電力バスウェイインターポーザは、個別の電力バスウェイコネクタとスイッチングデバイスとを備える。個別の電力バスウェイコネクタは、それぞれ、個別の電力バスウェイと結合する。スイッチングデバイスは、個別のコネクタのそれぞれと結合し、そのコネクタを介して個別の結合されたバスウェイ間に選択的に電力を配分する。
【０００７】
一実施形態によると、方法は、１つまたは複数の電力バスウェイセグメントを含む電力バスウェイアセンブリを、１つまたは複数の電力バスウェイセグメントの通電を維持しながら、増分的に延長するように構成することを含む。電力バスウェイアセンブリのこのような構成は、電力バスウェイインターポーザの近位のバスウェイコネクタセットを１つまたは複数の電力バスウェイセグメントに結合することと、少なくとも１つの電力バスウェイセグメントを通電した後、遠位のバスウェイコネクタセットに追加の電力バスウェイセグメントを結合することと、追加の電力バスウェイセグメントの結合後、インターポーザのスイッチングデバイスを調整して近位及び遠位のバスウェイコネクタセットを電気的に結合することとを含む。電力バスウェイインターポーザは、近位及び遠位のバスウェイコネクタセットと、近位及び遠位のバスウェイコネクタセットを選択的に電気的に結合するように構成されたスイッチングデバイスとを備える。スイッチングデバイスを調整して、近位及び遠位のバスウェイコネクタセットを電気的に結合することによって、電力バスウェイインターポーザは、近位及び遠位のバスウェイコネクタセットを介して、１つまたは複数の電力バスウェイセグメントから追加の電力バスウェイセグメントに電力を配分することができる。
【０００８】
本明細書で使用される場合、「コンピュータ室」は、ラックマウント式のサーバ等のコンピュータシステムが操作される建物内の部屋を意味する。
【０００９】
本明細書で使用される場合、「データセンタ」は、コンピュータ操作を行う任意の施設または施設の一部を含む。データセンタは、特定の機能専用の、または、複数の機能を行うサーバを備えてよい。コンピュータ操作の例は、情報処理、通信、シミュレーション、及び、動作制御を含む。
【００１０】
本明細書で使用される場合、「動作電力」は、１つまたは複数のコンピュータシステムコンポーネントが使用できる電力を意味する。動作電力は、電力配分装置で、または、電力配分装置より下流の要素で下げられてよい。例えば、サーバの電力供給は、動作電圧を下げてよく（また、交流を直流に整流してよい）。 
【００１１】
本明細書で使用される場合、電力「支援」を提供するは、１つまたは複数の電気負荷を含む１つまたは複数の下流のシステム及びコンポーネントが利用できる１つまたは複数の電力供給を提供することを指す。このように提供された電力供給をシステム及びコンポーネントが受け取るのを妨げられる場合があるが、システム及びコンポーネントの上流の１つまたは複数のコンポーネントの配置に少なくとも部分的に基づいて、受け取るのを可能にしてよい。例えば、予備電源システムは、予備電源システムの下流、負荷の上流にある切替スイッチによって選択的に電気負荷にルーティングできる予備電力供給を提供することによって、電気負荷に予備電力支援を提供してよい。ここで、切替スイッチは、主電力供給に関連付けられた１つまたは複数の条件に少なくとも部分的に基づいて、予備電力供給または主電力供給を負荷に選択的にルーティングしてよい。
【００１２】
本明細書で使用される場合、「ＰＤＵ」とも称する「電力配分装置」は、電力配分に使用できる任意のデバイス、モジュール、コンポーネント、または、それらの組み合わせを意味する。電力配分装置の要素は、（共通のエンクロージャに収容された変圧器及びラック電力配分装置等の）１つのコンポーネントまたはアセンブリ内で具体化されてもよく、または、（個別のエンクロージャにそれぞれ収容された変圧器及びラック電力配分装置、関連するケーブル等の）２つ以上のコンポーネントまたはアセンブリ間に分散されてもよい。
【００１３】
本明細書で使用される場合、「フロア電力配分装置」は、コンピュータ室の様々なコンポーネントに電力を配分できる電力配分装置を指す。一定の実施形態においては、電力配分装置は、ｋレート変圧器を含む。電力配分装置は、キャビネット等のエンクロージャに収容されてよい。
【００１４】
本明細書で使用される場合、「ラック電力配分装置」は、ラックの様々なコンポーネントに電力を配分するのに使用できる電力配分装置を指す。ラック電力配分は、配線、母線、コネクタ、及び、回路ブレーカを含む、様々なコンポーネント及び要素を含んでよい。
【００１５】
本明細書で使用される場合、「コンピュータシステム」は、様々なコンピュータシステム、または、そのコンポーネントの任意のものを含む。コンピュータシステムの一例は、ラックマウント式サーバである。本明細書で使用される場合、コンピュータという用語は、当技術分野でコンピュータと称される集積回路だけではなく、幅広く、プロセッサ、サーバ、マイクロコントローラ、マイクロコンピュータ、プログラマブル論理制御装置（ＰＬＣ）、特定用途向け集積回路、及び、他のプログラマブル回路を指し、これらの用語は、本明細書では交換可能に使用される。様々な実施形態において、メモリは、ランダムアクセスメモリ（ＲＡＭ）等のコンピュータ可読媒体を含んでよいが、それに限らない。あるいは、コンパクトディスクリードオンリメモリ（ＣＤ‐ＲＯＭ）、磁気光学ディスク（ＭＯＤ）、及び／または、デジタル多用途ディスク（ＤＶＤ）も使用してよい。また、追加の入力チャネルは、マウス及びキーボード等のオペレータインタフェースに関連付けられたコンピュータ周辺機器を含んでよい。あるいは、例えば、スキャナを含み得る他のコンピュータ周辺機器も使用してよい。さらに、ある実施形態においては、追加の出力チャネルは、オペレータインタフェースモニタ、及び／または、プリンタを含んでよい。
【００１６】
本明細書で使用される場合、「空間」は、空間、エリア、または、体積を意味する。
【００１７】
本明細書で使用される場合、「モジュール」は、コンポーネント、または、互いに物理的に結合されたコンポーネントの組み合わせである。モジュールは、コンピュータシステム、ラック、送風装置、ダクト、電力配分装置、消火システム、及び、制御システム等の機能的要素及びシステムと、フレーム、ハウジング、構造、コンテナ等の構造的要素とを含んでよい。ある実施形態においては、モジュールは、データセンタ外の場所においてプレハブ方式で作られる。
【００１８】
本明細書で使用される場合、「ラックコンピュータシステム」は、ラックに取り付けられた１つまたは複数のコンピュータ装置を備えるコンピュータシステムを意味する。
【００１９】
本明細書で使用される場合、「バスウェイ」、「バスダクト」等は、電力配分システムのコンポーネント間に電力を配分する１つまたは複数の母線を含む囲まれたモジュールを指す。囲まれたモジュールは、プレハブ式であってよく、保護エンクロージャ内に母線を含むことができる。ある実施形態においては、「バスダクト」及び「バスウェイ」という用語は、交換可能に使用される。
【００２０】
図１は、ある実施形態によると、コンピュータ室の概略斜視図である。図１においては、結合された電力バスウェイセグメントからなる電力バスウェイアセンブリは、少なくとも部分的に延在し、タップボックスアセンブリを介して様々なラックコンピュータシステムに電力支援を提供する。 
【００２１】
データセンタ１００は、コンピュータ室１０１を備え、コンピュータ室１０１は、通路空間１３０と、通路空間１３０に沿って延びるラック位置１２４の列１３２とを備える。ここで、ラックコンピュータシステム１２０が、列１３２の一部に設置されて、ラックコンピュータシステム１２０の列を形成する。電力バスウェイアセンブリ１１０は、通路空間１３０を通って延在し、電源１１６からの電力を配分する。電力バスウェイアセンブリ１１０は、電力バスウェイアセンブリ１１０の近位端１７１で給電ボックス１１４を介して電源１１６に結合され、また、様々な結合済のタップボックス１１８とラックコンピュータシステム１２０の電源インレット１２２に結合された電力ケーブル１１９を介して、通路空間１３０のラックコンピュータシステム１２０に結合されて、ラックコンピュータシステム１２０がコンピュータ操作を行うのを可能にする。
【００２２】
電力バスウェイアセンブリ１１０は、１つまたは複数の電力バスウェイセグメント１１２Ａ、１１２Ｂからなるアセンブリを含む。ここで、各セグメント１１２が、１つまたは複数の電力母線１１３が取り付けられた内部空間を少なくとも部分的に囲むエンクロージャ１１７を備えて、母線１１３は、各バスウェイセグメント１１２の部分的に囲まれた内部空間を通って延びる。ある実施形態においては、各セグメント１１２は、標準化された長さ、幅、高さ等を含む、標準化された寸法を有する。セグメント１１２は、隣り合う端部１１５を有してよく、端部１１５で、個別の隣り合うセグメントは結合されて、個別のバスウェイセグメントの母線を電気的に結合してよい。個別のバスウェイセグメントを結合することは、図１に示すように、隣り合う端部１１５で個別のバスウェイセグメントを直列に結合して、電力バスウェイアセンブリ１１０を少なくとも部分的に形成することを含み得る。１つの電力バスウェイセグメント１１２Ｂの端部を、給電ボックス１１４に結合してよい。本明細書で「近位電力バスウェイセグメント」１１２Ｂと称するこのような電力バスウェイセグメント１１２Ｂは、アセンブリ１１０の近位端１７１にある給電ボックス１１４を介して電源１１６から電力を受け取り、近位電力バスウェイセグメント１１２Ｂの１つまたは複数の電力母線１１３で電力を運ぶ。電力バスウェイセグメント１１２Ａは、１つまたは複数の結合済みのタップボックス１１８、１つまたは複数の他の結合済の電力バスウェイセグメント１１２Ａ等に電力を配分できる。
【００２３】
ある実施形態においては、電力バスウェイアセンブリ１１０は、近位端１７１の給電ボックス１１４で電源１１６から受け取った電力供給を、アセンブリ１１０に含まれる様々な母線１１３で運ぶ。電力供給は、動作電力供給、予備電力供給、それらの何らかの組み合わせ等を含み得る。アセンブリ１１０が隣り合う端部１１５で直列に結合された複数のセグメント１１２Ａ、１１２Ｂを含む場合、結合済のセグメント１１２の母線１１３同士を電気的に結合することができて、給電ボックス１１４から遠いアセンブリ１１０の電力バスウェイセグメント１１２Ａ（「遠位電力バスウェイセグメント」１１２Ａ）が、遠位セグメント１１２Ａの端部１１５に結合される結合済の電力バスウェイセグメント１１２Ｂから受け取った電力を運び、給電ボックス１１４からの電力を運ぶ。
【００２４】
１つまたは複数のタップボックス１１８は、アセンブリ１１０の電力バスウェイセグメント１１２の１つまたは複数に結合することができる。ここで、タップボックス１１８のセグメントへの結合は、タップボックスの電源コネクタを電力バスウェイセグメントの母線の１つまたは複数に電気的に結合して、タップボックス１１８が、母線１１３からの電力を配分できるようにすることを含む。タップボックスは、コンピュータ室１０１の１つまたは複数のラックコンピュータシステム１２０の１つまたは複数の電源インレット１２２に電力ケーブル１１９を介して結合でき、それによって、タップボックス１１８は、結合済の電力バスウェイセグメント１１２の母線１１３から受け取った電力をタップボックス１１８に結合された１つまたは複数の電力ケーブル１１９を介して１つまたは複数のラックコンピュータシステム１２０の電源インレット１２２に配分できる。
【００２５】
ある実施形態においては、コンピュータ室１０１の通路空間１３０に設置されたラックコンピュータシステム１２０の数は、通路空間１３０に延在する列１３２のラック位置１２４の数より少なく、その結果、ラックコンピュータシステム１２０は、通路空間１３０の一部分１８２に延在し、ラックコンピュータシステム１２０が設置されていない利用可能なラック位置１２４の一セットは、通路空間１３０の別部分１８４に延在する。
【００２６】
ある実施形態においては、電力バスウェイアセンブリ１１０は、ラックコンピュータシステム１２０が設置されている通路空間１３０の部分に延在するように可逆的に構成できるので、電力バスウェイアセンブリ１１０が延在する通路空間１３０の部分は、ラックコンピュータシステムが設置されている部分に対応する。結果として、電力バスウェイアセンブリ１１０は、ラックコンピュータシステムが設置されていない通路空間１３０の部分には延在しなくてよい。
【００２７】
図１に示す実施形態において、例えば、ラックコンピュータシステム１２０が、通路空間１３０の部分１８４ではなく、部分１８２に設置される場合、電力バスウェイアセンブリ１１０は、部分１８４ではなく、部分１８２に延在するように構成できる。結果として、データセンタ１００に備えられる、電力バスウェイセグメント、タップボックス、母線等を含む、電力配分インフラストラクチャの量は、設置済みラックコンピュータシステム１２０に対応する。従って、任意の所与の時間における過剰な電力配分インフラストラクチャを最小化できる。
【００２８】
ある実施形態においては、電力配分インフラストラクチャの１つまたは複数の実体（instances）が、データセンタへの追加のラックコンピュータシステム１２０の増分的な設置に少なくとも部分的に基づいて、データセンタ１００に増分的に設置される。インフラストラクチャのこのような増分的な設置の結果として、１つまたは複数の電力バスウェイアセンブリ１１０の設置済み電力バスウェイセグメント１１２は、セグメント１１２に結合された１つまたは複数のタップボックス１１８を介して、設置済みラックコンピュータシステム１２０に電力を配分し、タップボックス１１８が結合されていない余剰なバスウェイセグメント１１２を最小化することができる。
【００２９】
ある実施形態においては、電力配分インフラストラクチャの増分的な設置は、通路空間１３０の追加の部分に電力バスウェイアセンブリ１１０を増分的に延長して、延長された電力バスウェイアセンブリ１１０が、追加の部分に設置されたラックコンピュータシステムに電力を配分するように構成されることを含む。電力バスウェイアセンブリ１１０の増分的延長は、アセンブリ１１０の遠位電力バスウェイセグメント１１２Ａの遠位端１７２で、追加の電力バスウェイセグメント１４０をアセンブリ１１０に結合することを含み得る。追加のタップボックス１１８は、追加の電力バスウェイセグメント１４０に結合でき、給電ボックス１１４で受け取られた電力は、追加の電力バスウェイセグメント１４０を通ることを含むアセンブリ１１０を通して配分されて、通路空間１３０の追加の部分１８４に設置されたラックコンピュータシステム１２６に電力支援を提供できる。１つまたは複数のラックコンピュータシステム１２６を部分１８４の利用可能なラック位置１２４に設置するという決定に少なくとも部分的に基づいて、追加の電力バスウェイセグメント１４０は、遠位電力バスウェイセグメント１１２Ａの遠位端でもあり得る電力バスウェイアセンブリ１１０の遠位端に結合することができて、アセンブリ１１０は部分１８４に延長される。結果として、電力バスウェイアセンブリ１１０を延長して、部分１８４のラックコンピュータシステム１２６に電力支援を提供できる。
【００３０】
ある実施形態においては、電力バスウェイアセンブリ１１０を延長することは、アセンブリ１１０を非通電にすること含み得る、その結果、非通電の追加の電力バスウェイセグメント１４０の母線１１３はセグメント１１２Ａの非通電の母線１１３に結合される。非通電の母線１１３を通電中の母線１１３に結合することは、バスウェイセグメントの結合を行う操作者に安全上のリスクを負わせる可能性がある。例えば、バスウェイアセンブリ１１０が、電源１１６からの６００アンペアの電力供給をセグメント１１２Ａ、１１２Ｂの母線１１３を通して運んでいる場合、追加のバスウェイセグメント１４０を遠位端１７２でアセンブリに結合して、追加のバスウェイセグメント１４０の母線１１３をセグメント１１２Ａの通電中の母線１１３に結合することは、結合を行う操作者に大きな安全上のリスクを負わせる可能性がある。さらに、アセンブリ１１０全体を非通電にすることを含む、アセンブリ１１０の１つまたは複数のセグメント１１２Ａ、１１２Ｂを非通電にして、アセンブリ１１０の非通電の母線１１３への追加のセグメント１４０の安全な結合を可能にすることは、タップボックス１１８を介してセグメント１１２Ａ、１１２Ｂに電気的に結合されたラックコンピュータシステム１２０への電力支援の損失につながり得る。
【００３１】
図２は、ある実施形態によると、個別の電力バスウェイセグメントと、その電力バスウェイセグメント同士を結合する電力バスウェイインターポーザとを備える、電力バスウェイアセンブリの概略斜視図である。
【００３２】
電力バスウェイアセンブリ２００は、電力バスウェイセグメント２１０Ａ、２１０Ｂと、電力バスウェイインターポーザ２２０とを備える。各電力バスウェイセグメント２１０Ａ、２１０Ｂは、各エンクロージャ２０２を備え、各エンクロージャ２０２は、内部空間２０４を少なくとも部分的に囲むことができ、内部空間２０４には、１つまたは複数の様々な母線２１２Ａ、２１２Ｂが取り付けられている。１つまたは複数の電力バスウェイセグメント２１０Ａ、２１０Ｂのエンクロージャ２０２は、金属エンクロージャ、様々な材料のエンクロージャ等であってよい。様々な材料の１つは、電気的に絶縁された材料であってよい。図示の実施形態においては、内部空間２０４で母線２１２Ａを保持し、母線２１２Ａをエンクロージャ２０２に結合する取り付け構造２１３は、絶縁体であってよく、ここで、構造２１３は、少なくとも部分的に、絶縁材で構築、形成等されている。
【００３３】
母線２１２Ａ、２１２Ｂは、１つまたは複数の様々な構成を有し得る。例えば、母線２１２は、導電材料製の平らなストリップであってよい。他の例においては、母線は、中空の管構造であってよく、ここで、導電材料は、少なくとも部分的に中空の内部空間を取り囲む。図２に示す実施形態においては、各母線２１２Ａ、２１２Ｂは、「Ｃ字」型の断面を有し、ここで、中空の内部空間は、３つの側面で母線の導電材料に囲まれる。このような形の母線は、平らなストリップ母線と比較して、表面積の断面積に対する比を大きくすることができて、より効率の良い電力配分が可能になる。電力バスウェイコネクタは、中空の内部空間に挿入されて、３つの側面の１つまたは複数で母線と物理的に結合できる。導電材料は、銅、真鍮、アルミニウム等、１つまたは複数の様々な既知の導電材料を含み得る。
【００３４】
ある実施形態においては、電力バスウェイインターポーザは、個別の電力バスウェイセグメントの電気的結合を可能にして、電力バスウェイアセンブリの構築、延長等を行う。電力バスウェイインターポーザは、個別の電力バスウェイセグメントの個別の母線の１つまたは複数と係合する電力バスウェイコネクタと、コネクタを電気的に結合する１つまたは複数の回路とを備えてよく、それによって、個別の電力バスウェイセグメントの個別の母線間でインターポーザを介して電力を配分できる。図示の実施形態においては、例えば、電力バスウェイインターポーザ２２０は、個別の電力バスウェイコネクタ２２４Ａ、２２４Ｂを介して、個別の電力バスウェイセグメント２１０Ａ、２１０Ｂのそれぞれの各母線２１２Ａ、２１２Ｂと係合して、個別のバスウェイセグメント２１０Ａ、２１０Ｂの個別の母線２１２Ａ、２１２Ｂを電気的に結合して、個別のセグメント２１０Ａ、２１０Ｂを電気的に結合し、個別の電力バスウェイセグメント２１０Ａ、２１０Ｂ間での電力配分を可能にする。
【００３５】
例えば、セグメント２１０Ａが、図１に示すアセンブリ１１０のセグメント１１２Ａを含む電力バスウェイアセンブリ２００の遠位電力バスウェイセグメントである場合、セグメント２１０Ａは、母線２１３の１つまたは複数が電力バスウェイアセンブリ２００の近位端で電源から受け取った電力供給を運ぶように、通電されてよい。対照的に、電力バスウェイセグメント２１０Ｂは、アセンブリ２００の遠位端であり得るセグメント２１０Ａの遠位端２１４Ａで遠位電力バスウェイセグメント２１０Ａに結合されてアセンブリ２００を延長する追加の電力バスウェイセグメントであってよい。セグメント２１０Ｂの母線２１２Ｂが、どの電源からも電気的に絶縁され得るので、電力バスウェイセグメント２１０Ｂは非通電であってよい。隣り合う端部２１４Ａ、２１４Ｂで電力バスウェイセグメント２１０Ａ、２１０Ｂを結合することは、セグメント２１０Ａ、２１０Ｂの各母線２１２Ａ、２１２Ｂを電気的に結合することを含むことができ、それによって、母線２１２Ａの１つまたは複数で運ばれる電力は、セグメント２１０Ｂの母線２１２Ｂの１つまたは複数に配分されて、セグメント２１０Ｂを通電し、１つまたは複数のタップボックス、コネクタ等を介して母線２１２Ｂに電気的に結合される様々な電気負荷にセグメント２１０Ｂが電力を配分するのを可能にする。
【００３６】
電力バスウェイインターポーザ２２０は、個別の電力バスウェイコネクタセット２２４Ａ、２２４Ｂを含み得るハウジング２２２を備える。各セット２２４Ａ、２２４Ｂの各個別の電力バスウェイコネクタは、個別の母線２１２Ａ、２１２Ｂの中空の内部空間に挿入されてコネクタを母線に係合させるように構成される。「電気が流れている」または「通電中」とも称される、母線が電力を運んでいる場合、コネクタ２２４を母線２１２に係合させることは、コネクタ２２４を母線に電気的に結合させて、母線２１２が運ぶ電力が、結合されたコネクタ２２４を通して少なくとも部分的に配分されることを含み得る。電気的に結合するは、電気的接続を確立するとも言うことができる。
【００３７】
電力バスウェイインターポーザ２２０は、個別の電力バスウェイコネクタセット２２４Ａ、と２２４Ｂを結合する電気回路セット２２６を備える。各回路２２６は、コネクタセット２２４Ａを対応するコネクタセット２２４Ｂに結合して、コネクタ２２４Ａに結合された母線２１２Ａをコネクタ２２４Ｂに結合された母線２１２Ｂに結合することによって、個別のセグメント２１０Ａと２１０Ｂを結合する。電力バスウェイコネクタ２２４の１つが通電中の母線２１２に結合される場合、回路２２６は、対応するコネクタ２２４Ａ、２２４Ｂ間の電気的接続を確立して、個別の結合済の母線２１２Ａ、２１２Ｂを電気的に結合することができる。ある実施形態においては、回路２２６は、電力バスウェイセグメント２１０Ａの１つまたは複数の母線２１２の１つまたは複数によって運ばれた電力供給全体を運ぶように構成される。電力供給全体は、例えば、８００アンペアの電流を含み得る。
【００３８】
電力バスウェイインターポーザ２２０は、スペーサのセット２２７を備える。各スペーサ２２７は、インターポーザのコネクタ２２４が個別のセグメント２１０Ａ、２１０Ｂの母線２１２Ａ、２１２Ｂに結合されると、結合された個別の電力バスウェイセグメント２１０Ａ、２１０Ｂの個別の隣り合う端部２１４Ａ、２１４Ｂに係合する。個別のセグメント２１０がインターポーザ２２０を介して少なくとも部分的に結合されると、このようなスペーシングによって、隣り合う端部２１４Ａ、２１４Ｂを互いに対して特定の位置に保持できる。
【００３９】
ある実施形態においては、１つの電力バスウェイセグメント２１０Ａが通電される場合、電力バスウェイインターポーザ２２０の電力バスウェイコネクタセット２２４Ａを電力バスウェイセグメント２１０Ａの通電中の母線２１２Ａに結合することは、インターポーザ２２０を操作してセグメント２１０Ａに結合する操作者に安全上のリスクを負わせ得る。さらに、インターポーザ２２０を通電中の電力バスウェイセグメント２１０Ａに結合する場合、通電中のセグメント２１０Ａに結合されておらず、追加の非通電の電力バスウェイセグメント２１０Ｂを結合できるインターポーザのコネクタ２２４Ｂは、通電中のセグメントの母線に結合されたコネクタ２２４Ａと個別のコネクタ２２４Ａ、２２４Ｂを結合する回路２２６とによって通電され得る。結果として、非通電の電力バスウェイセグメント２１０Ｂを通電中の電力バスウェイセグメント２１０Ａに結合されたインターポーザ２２０に結合することは、インターポーザ、セグメント等を操作して、それらを結合する操作者に安全上のリスクを負わせ得る。通電中の電力バスウェイセグメント２１０Ａを非通電にすることは、安全上のリスクを軽減し得るが、このように非通電にすることは、通電中の電力バスウェイセグメント２１０Ａが電気的に結合されるラックコンピュータシステムを含む、１つまたは複数の様々な電気負荷への電力支援を失わせ得る。
【００４０】
図３Ａ及び図３Ｂは、ある実施形態によると、個別の電力バスウェイコネクタセットとスイッチングデバイスを介して個別の電力バスウェイセグメント同士を結合する電力バスウェイインターポーザを示す。
【００４１】
電力バスウェイアセンブリ３００は、２つの個別の電力バスウェイセグメント３１０Ａ、３１０Ｂを備え、電力バスウェイセグメント３１０Ａ、３１０Ｂは、電力バスウェイインターポーザ３２０によって結合された個別の母線セット３１１Ａと３１１Ｂ、３１２Ａと３１２Ｂを備える。
【００４２】
各電力バスウェイセグメント３１０Ａ、３１０Ｂは、エンクロージャ３１９に少なくとも部分的に囲まれた内部空間３１８に上側母線３１１と下側母線３１２を備える。図示の実施形態においては、各母線３１１、３１２は、各母線３１１Ａ、３１１Ｂ、３１２Ａ、３１２Ｂの導電材料によって少なくとも部分的に囲まれた各中空の内部空間３１３、３１４を備える。
【００４３】
電力バスウェイインターポーザ３２０は、ハウジング３７０内に少なくとも部分的に、個別の電力バスウェイコネクタセット３２１Ａ、３２１Ｂと、それぞれ、電力バスウェイコネクタ３２１の少なくとも１つに結合され、個別のコネクタセット３２１Ａ、３２１Ｂの間に少なくとも部分的に延在する回路３２２と、個別の回路３２２に結合され、個別のコネクタ３２１Ａ、３２１Ｂ間の電気的接続を選択的に確立または終了することができ、それによって、個別のコネクタ３２１Ａ、３２１Ｂを選択的に電気的に結合するスイッチングデバイス３２４とを備える。
【００４４】
図示の実施形態に示すように、電力バスウェイインターポーザは、個別のバスウェイセグメント３１０Ａ、３１０Ｂの内部空間３１８に少なくとも部分的に挿入でき、セグメント３１０Ａ、３１０Ｂの隣り合う端部３７１Ａ、３７１Ｂを介して個別のバスウェイセグメント３１０Ａ、３１０Ｂに結合され、その結果、コネクタ３２１Ａ、３２１Ｂは、端部内にスライド可能に挿入されて、１つまたは複数の個別の母線３１１、３１２とスライド可能に係合される。バスウェイセグメントの端部にコネクタをスライド可能に挿入することは、バスウェイの端部にコネクタをスライド可能に挿入することによって、コネクタが、母線の導電材料に少なくとも部分的に囲まれた中空の内部空間を通ってスライドし、母線にスライド可能に係合されることを含み得る。図示の実施形態に示すように、例えば、コネクタ３２１Ａ、３２１Ｂは、隣り合う端部３７１において、母線３１１、３１２の個別の母線の各端部を通って、母線３１１、３１２の１つの中空の内部空間３１３、３１４にスライド可能に挿入され、中空の内部空間３１３、３１４を通ってスライド可能に挿入されて、各電力バスウェイコネクタ３２１を各母線３１１、３１２にスライド可能に係合（３２５Ａ、３２５Ｂ、３２６Ａ、３２６Ｂ）する。例えば、インターポーザ３２０の上側コネクタ３２１Ａは、セグメント３１０Ａの端部３７１Ａで、上側母線３１１Ａの中空の内部空間３１３にスライド可能に挿入されて、コネクタ３２１Ａが、母線３１１Ａにスライド可能に係合（３２５Ａ）される。
【００４５】
図示のように、インターポーザ３２０は、交互に配置された個別の電力バスウェイコネクタセット３２１Ａ、３２１Ｂを備える。結果として、所与のセット３２１のコネクタは、電力バスウェイセグメントの長さに沿った異なった水平方向位置で、所与の電力バスウェイセグメント３１０の個別の母線３１１、３１２と結合し、その結果、所与のセット３２１の個別のコネクタは、インターポーザ３２０が挿入されるセグメントの端部３７１から異なった水平方向距離で、セグメント３１０の個別の母線と結合される。電力バスウェイインターポーザ３２０は、スペーサのセット３２８を備え、各スペーサは、インターポーザのコネクタ３２１Ａ、３２１Ｂが個別のセグメント３１０Ａ、３１０Ｂの母線３１１、３１２に結合されると、結合された個別の電力バスウェイセグメント３１０Ａ、３１０Ｂの個別の隣り合う端部３７１Ａ、３７１Ｂと係合する。個別のセグメント３１０Ａ、３１０Ｂがインターポーザ３２０を介して少なくとも部分的に結合される時、このようなスペーシングによって、隣り合う端部３７１Ａ、３７１Ｂを互いに対して特定の位置に保持することができる。ある実施形態においては、スペーサ３２８の１つまたは複数は、電気的な絶縁要素を含む。
【００４６】
ある実施形態においては、電力バスウェイインターポーザは、インターポーザの個別の電力バスウェイコネクタを選択的に電気的に結合するスイッチングデバイスを備える。スイッチングデバイスは、１つまたは複数の回路ブレーカデバイスを備え得る。図示の実施形態においては、インターポーザ３２０は、スイッチングデバイスのセット３２４を備え、スイッチングデバイスは、それぞれ、個別の端部で、個別の回路３２２を介して個別の電力バスウェイコネクタ３２１Ａ、３２１Ｂに結合される。
【００４７】
各スイッチングデバイス３２４は、１つまたは複数の様々な位置に調整可能に位置して、スイッチングデバイス３２４の個別の端部に結合される個別の電力バスウェイコネクタ３２１Ａ、３２１Ｂに選択的に電気的に結合または切り離すことができる。例えば、図示の実施形態においては、各スイッチングデバイス３２４は、開位置または閉位置に調整可能に位置してよい。スイッチングデバイス３２４は両方とも開位置で図示されている。スイッチングデバイス３２４が開位置にある時、スイッチングデバイス３２４の個別の端部に結合された個別のコネクタ３２１Ａ、３２１Ｂは、互いに電気的に分離され、その結果、回路３２２及びスイッチングデバイス３２４を介して、個別のコネクタ３２１Ａ、３２１Ｂ間に電力を配分できない。スイッチングデバイス３２４が閉位置にある時、スイッチングデバイス３２４の個別の端部に結合された個別のコネクタ３２１Ａ、３２１Ｂは、互いに電気的に結合され、その結果、回路３２２及びスイッチングデバイス３２４を介して、個別のコネクタ３２１Ａ、３２１Ｂ間に電力を配分できる。
【００４８】
ある実施形態においては、スイッチングデバイス３２４を備えるインターポーザ３２０が、電力バスウェイインターポーザ３２０の個別のコネクタセット３２１Ａ、３２１Ｂに結合された個別の電力バスウェイセグメント３１０Ａ、３１０Ｂ間で電力を選択的に配分することを可能にする。このような選択的配分によって、例えば、１つのコネクタセット３２１Ａを１つのバスウェイセグメント３１０Ａによって通電しながら、他のコネクタセット３２１Ｂを、スイッチングデバイス３２４によってコネクタ３２１Ａから電気的に分離して、非通電にすることが可能になる。結果として、非通電の電力バスウェイセグメント３１０Ｂは、母線３１１Ｂ、３１２Ｂを非通電のコネクタ３２１Ｂに結合することを介して、インターポーザ３２０に結合されて、非通電の母線を通電中のコネクタに結合することなしに、セグメント３１０Ａと３１０Ｂを結合できる。非通電セグメント３１０Ｂの母線３１１Ｂ、３１２Ｂがインターポーザ３２０の非通電のコネクタ３２１Ｂに結合されることによって、セグメント３１０Ａと３１０Ｂを結合した後、スイッチングデバイス３２４は、コネクタ３２１Ａと３２１Ｂ間の電気的接続を確立するように調整可能に位置させることができ、それによって、電気的に結合されたコネクタ３２１Ａ、３２１Ｂを介してセグメント３１０Ａ、３１０Ｂを電気的に結合し、コネクタ３２１Ｂ、ひいては、セグメント３１０Ｂの母線３１１Ｂ、３１２Ｂを通電できる。
【００４９】
結果として、インターポーザ３２０は、個別の電力バスウェイセグメント３１０同士を結合することを介して、電力バスウェイアセンブリ３００を延長できる。ここで、１つのセグメント３１０Ａは、アセンブリ３００の通電中の電力バスウェイセグメントであり、セグメント３１０Ａの通電を維持しながら、追加の非通電セグメント３１０Ｂを非通電インターポーザコネクタに結合することによって安全上のリスクを軽減し、その後、インターポーザを介して個別の電力バスウェイセグメント３１０Ａと３１０Ｂを電気的に結合して、個別のセグメント３１０Ａと３１０Ｂ間の電力配分を可能にする。
【００５０】
ある実施形態においては、インターポーザ３２０は、個別のセグメント３１０Ａ、３１０Ｂを電気的に結合できるが、個別のセグメント３１０Ａ、３１０Ｂを互いに対して所定の位置に保持する完全な構造的支持をその結合に提供せず、部屋の特定の位置にアセンブリの個別のセグメント３１０を支持しない。ある実施形態においては、支持要素が、個別の電力バスウェイセグメント３１０Ａ、３１０Ｂの個別の各エンクロージャ３１９に物理的に結合して、個別のセグメント３１０Ａ、３１０Ｂを互いに対して特定の位置に保持することを含み得る構造的支持と安定性をセグメント３１０Ａ、３１０Ｂに提供する。図示の実施形態においては、例えば、支持要素３３０は、結合されたセグメント３１０Ａ、３１０Ｂに構造的支持と安定性を提供する。要素３３０は、個別のセグメント３１０Ａ、３１０Ｂの個別のエンクロージャ３１９間に延在する支持ブラケット３３２を備え、結合要素が、個別のエンクロージャ３１９をブラケット３３２に結合する。結合要素３３６Ａ、３３６Ｂは、個別のエンクロージャ３１９の構造負荷をブラケット３３２に少なくとも部分的に移すことができる。アンカー３３４は、ブラケット３３２を固定構造に物理的に結合する。固定構造は、部屋モジュールの天井モジュール、部屋の構造部材等の１つまたは複数を含み得る。アンカー３３４は、個別のセグメント３１０Ａ、３１０Ｂのエンクロージャ３１９の構造負荷の少なくとも一部を結合要素３３６Ａ、３３６Ｂとブラケット３３２とを介して固定構造に移すことができる。
【００５１】
図４は、ある実施形態によると、通電中の電力バスウェイセグメントと、結合された電力バスウェイインターポーザとを示す概略図である。結合された電力バスウェイインターポーザは、結合されたタップボックスアセンブリを介して電気負荷への電力配分を維持しながら、通電中の電力バスウェイセグメントを非通電の電力バスウェイセグメントに結合する。
【００５２】
ある実施形態においては、電力バスウェイインターポーザは、セグメントの近位端に結合された電源から電力バスウェイセグメントを通電する前に、電力バスウェイセグメントの遠位端に結合できる。ここで、インターポーザのスイッチングデバイスによって、インターポーザの遠位端にある露出した電力バスウェイコネクタを非通電のままにして、インターポーザの近位端にある電力バスウェイコネクタを通電中のセグメントに結合して通電することが可能になる。結果として、非通電の電力バスウェイセグメントは、インターポーザの露出した非通電のコネクタに結合することができ、その結果、個別のバスウェイセグメント同士は、電気的に分離されたまま、インターポーザを介して物理的に結合される。非通電のセグメントをインターポーザの遠位端にある非通電のコネクタに結合した後、インターポーザのスイッチングデバイスを調整して、インターポーザの近位端にあるコネクタをインターポーザの遠位端にあるコネクタに電気的に結合することができ、それによって、通電中の電力バスウェイセグメントを追加の電力バスウェイに電気的に結合し、通電中の電力バスウェイセグメントから追加の電力バスウェイセグメントにインターポーザを介して電力配分することができ、追加の電力バスウェイセグメントに通電する。
【００５３】
ある実施形態においては、各電力バスウェイセグメントは、セグメントの遠位端に組み込まれたインターポーザを備える。ここで、追加の電力バスウェイセグメントの近位端は、個別の電力バスウェイセグメント同士を物理的に結合することによって電気的に結合することによる安全上のリスクを負うことなしに、電力バスウェイアセンブリの通電中の電力バスウェイセグメントの遠位端に結合できる。
【００５４】
図示の実施形態においては、電力バスウェイアセンブリ４００は、電力バスウェイセグメント４１０Ａ及び追加の電力バスウェイセグメント４１０Ｂと、近位端４７４で電力バスウェイセグメント４１０の遠位端４７２に結合される電力バスウェイインターポーザ４３０とを備える。ある実施形態においては、電力バスウェイアセンブリ４００は、図１に示すアセンブリ１１０の少なくとも一部であってよい。
【００５５】
電力バスウェイセグメント４１０Ａは、セグメント４１０Ａの長さ方向にセグメント４１０Ａの遠位端４７２の近くの位置まで少なくとも延びる２つの母線４１３Ａを備える。母線４１３Ａの１つまたは複数は、電源４８０によって通電でき、セグメント４１０Ａの近位端４７９で受け止めることができる。
【００５６】
ある実施形態においては、１つまたは複数のタップボックスアセンブリ４２０は、電力バスウェイセグメント４１０に結合されて、母線４１３Ａの１つまたは複数と電気的に結合し、結合された母線から１つまたは複数の電気負荷に電力を配分できる。図示の実施形態においては、タップボックスアセンブリ４２０は、結合要素４２３を介して電力バスウェイセグメントのエンクロージャ４１２に結合されるタップボックスハウジング４２２を備える。バスウェイコネクタ４２４は、タップボックス４２２が結合要素４２３を介してセグメント４１０Ａに結合されると、バスウェイセグメント４１０Ａの内部空間に挿入される。コネクタ４２４は、１つまたは複数の個別の結合要素４２５を備え、各結合要素４２５は、個別の母線４１３Ａと別々に係合して、母線と電気的に結合できて、タップボックスアセンブリ４２０を電力バスウェイセグメント４１０Ａに電気的に結合する。
【００５７】
タップボックスアセンブリ４２０は、１つまたは複数の回路４２８を備え、回路４２８は、ハウジング４２２とコネクタ４２４を通って延在して、１つまたは複数の結合要素４２５と結合する。結合された母線４１３Ａから結合要素４２５で受け取られた電力は、１つまたは複数の回路４２８を介してコネクタ４２４とハウジング４２２を通して配分できる。タップボックスアセンブリ４２０は、１つまたは複数の電力ケーブル４２６を備え、電力ケーブル４２６は、タップボックスハウジングに結合されて、回路４２８に電気的に結合され、その結果、母線４１３Ａから結合要素４２５で受け取られた電力は、回路４２５を介して電力ケーブル４２６に配分できる。電力ケーブル４２６は、１つまたは複数の電気負荷に結合されて、セグメント４１０Ａに電気的に結合されたタップボックスアセンブリ４２０を介して、セグメント４１０Ａの母線４１３Ａの１つまたは複数を電気負荷に電気的に結合できる。ある実施形態においては、回路４２８は、回路ブレーカを含む１つまたは複数のスイッチングデバイスを備えることができ、１つまたは複数のスイッチングデバイスは、電力ケーブル４２６を介してタップボックスアセンブリ４２０に結合された電気負荷を電力バスウェイセグメント４１０Ａから選択的に電気的に結合または切り離す。このようなスイッチングデバイスは、タップボックスハウジング４２２に含まれてよい。
【００５８】
電力バスウェイアセンブリ４００は、電力バスウェイインターポーザ４３０を備え、電力バスウェイインターポーザ４３０は、インターポーザ４３０の近位端４７４の近位電力バスウェイコネクタ４１６を介して、電力バスウェイセグメント４１０Ａにセグメント４１０Ａの遠位端４７４で結合される。各コネクタ４１６は、セグメント４１０Ａの個別の母線４１３Ａの１つまたは複数に結合されて、インターポーザ４３０の少なくともコネクタ４１６を電力バスウェイセグメント４１０Ａに電気的に結合する。
【００５９】
電力バスウェイインターポーザ４３０は、１つまたは複数のスイッチングデバイス４１５を備え、１つまたは複数のスイッチングデバイス４１５は、インターポーザ４３０の近位端４７４の近位電力バスウェイコネクタ４１６を、インターポーザ４３０の遠位端の遠位電力バスウェイコネクタ４１８に結合する。個別のスイッチングデバイス４１５は、それぞれ、個別の近位コネクタ４１６を個別の遠位コネクタ４１８に結合する個別のスイッチングデバイスは、個別のコネクタが、スイッチングデバイス４１５の個別の端部に結合されている個別のコネクタ４１６、４１８をスイッチングデバイス４１５を介して選択的に電気的に結合または電気的に切り離す（「分離する」）ように調整可能に位置させることができる。スイッチングデバイス４１５は、１つまたは複数の回路ブレーカデバイスを備えることができる。電力バスウェイコネクタ４１６が、母線４１３Ａと係合して、インターポーザ４３０を電力バスウェイセグメント４１０Ａに結合する場合、電力バスウェイコネクタ４１６は、結合されたセグメント４１０Ａ及びインターポーザ４３０の内部にあり得るので、結合されたセグメント４１０Ａ及びインターポーザ４３０の外部からは見えず、インターポーザ４３０の遠位端４７６の電力バスウェイコネクタ４１８は、従って、露出された遠位電力バスウェイコネクタ４１８とも称される。
【００６０】
ある実施形態においては、電力バスウェイセグメント４１０Ａの遠位端４７２に結合されたインターポーザ４３０のスイッチングデバイス４１５は、開位置にあり、その結果、インターポーザ４３０の少なくとも２つの個別のコネクタ４１６、４１８は、互いに電気的に分離されて、コネクタのうちの通電中のコネクタは、他のコネクタを通電しない。例えば、インターポーザ４３０が電力バスウェイセグメント４１０Ａに結合されて、各コネクタ４１６がセグメント４１０Ａの個別の母線４１３Ａに結合され、セグメント４１０Ａが通電されて、母線４１３Ａが電力供給を運んでいる場合、母線４１３Ａに電気的に結合されたコネクタ４１６は、母線４１３Ａから電力を受け取って通電されるが、インターポーザ４３０の遠位端４７６のコネクタ４１８の１つまたは複数は、スイッチングデバイス４１５の１つまたは複数が開位置にあることに少なくとも部分的に基づいて、コネクタ４１６の１つまたは複数から電気的に分離され、非通電のままである。結果として、追加の電力バスウェイセグメント４１０Ｂの近位端４７８は、インターポーザ４３０の遠位端４７６に結合でき、これは、インターポーザ４３０の非通電のコネクタ４１８に係合されるとすぐに、露出した遠位電力バスウェイコネクタ４１８をセグメント４１０Ｂの母線４１３Ｂに、母線４１３Ｂを通電のために露出させることなしに、結合することを含み得る。
【００６１】
セグメント４１０Ｂをインターポーザ４３０に結合させて、母線４１３Ｂをそれぞれ、非通電の遠位電力バスウェイコネクタ４１８の１つまたは複数に係合させることに続いて、スイッチングデバイス４１５の１つまたは複数を閉位置に調整可能に位置させて、個別のコネクタ４１６、４１８を電気的に結合でき、それによって、セグメント４１０Ａの母線４１３Ａをセグメント４１３Ｂの母線４１３Ｂに電気的に結合して、母線４１３Ａで運ばれている電力供給をインターポーザ４３０を介して母線４１３Ｂに配分する。従って、追加のセグメントは通電され、また、１つまたは複数のタップボックスアセンブリ４２０を追加の電力バスウェイセグメント４１０Ｂに結合することによって、電力供給を追加のセグメント４１０Ｂから様々な電気負荷に配分できる。
【００６２】
ある実施形態においては、インターポーザ４３０の近位端は、電源からセグメント４１０Ａに通電する前に、電力バスウェイセグメント４１０Ａの遠位端４７４に結合される。例えば、セグメント４１０Ａが他の電力セグメントに結合されて電源から電力を受け取る場合、インターポーザ４３０は、セグメント４１０Ａが非通電の状態で、１つまたは複数の近位電力バスウェイコネクタ４１６を１つまたは複数の母線４１３Ａにスライド可能に係合させて、セグメント４１０Ａの遠位端４７４に結合されてよく、その後、セグメント４１０Ａは、少なくとも電力バスウェイコネクタ４１６が通電されるように通電されてよい。
【００６３】
電力バスウェイインターポーザ４３０が近位端４７４で電力バスウェイセグメント４１０Ａに結合される場合、電力バスウェイインターポーザ４３０は、電力バスウェイセグメント４１０Ａの遠位端４７２の一部であってよく、その結果、結合されたインターポーザ４３０の遠位端４７６は、電力バスウェイセグメント４１０Ａの遠位端となる。ある実施形態においては、電力バスウェイアセンブリ４００の各電力バスウェイセグメントの各遠位端は、遠位端に組み込まれた電力バスウェイインターポーザを備える。
【００６４】
図５Ａ、図５Ｂは、ある実施形態によると、電圧供給線を介して結合された個別のタップボックスアセンブリを備える電力バスウェイインターポーザを示す。この個別のタップボックスアセンブリは、個別の電力バスウェイセグメントに結合して、タップボックスアセンブリ及び電圧供給線を介して、電力バスウェイセグメント間の電力の配分を可能にする。
【００６５】
ある実施形態においては、電力バスウェイインターポーザは、２つの個別のタップボックスアセンブリを備え、２つの個別のタップボックスアセンブリは、電力バスウェイインターポーザに備えられる１つまたは複数のスイッチングデバイスを調整可能に位置させることに少なくとも部分的に基づいて、１つまたは複数の電圧供給線を介して互いに選択的に電気的に結合されるように構成される。個別のタップボックスアセンブリは、それぞれ、個別の電力バスウェイセグメントに別々に結合することができ、スイッチングデバイスは、個別のタップボックスアセンブリ同士を電気的に結合するように調整可能に位置して、個別の電力バスウェイセグメント同士を電気的に結合することができる。
【００６６】
図５Ａに示す実施形態においては、電力バスウェイインターポーザ５０１は、個別のタップボックスアセンブリ５１０Ａ、５１０Ｂを備え、タップボックスアセンブリ５１０Ａ、５１０Ｂは、電力ケーブル５３０を介して結合される。電力ケーブル５３０は、個別のタップボックスアセンブリ５１０Ａ、５１０Ｂの個別のタップボックスハウジング５１２Ａ、５１２Ｂのそれぞれの個別の電力インタフェース５１８Ａ、５１８Ｂに結合される。個別のタップボックスアセンブリ５１０Ａ、５１０Ｂは、それぞれ、個別の結合要素５１６Ａ、５１６Ｂを備え、結合要素５１６Ａ、５１６Ｂは、各タップボックスアセンブリ５１０Ａ、５１０Ｂを個別の電力バスウェイセグメントの個別のエンクロージャに物理的に結合できる。結合要素５１６Ａ、５１６Ｂが各エンクロージャに結合されると、各タップボックスアセンブリ５１０Ａ、５１０Ｂのプラグヘッド５１４Ａ、５１４Ｂは、各電力バスウェイセグメントのエンクロージャによって少なくとも部分的に囲まれた内部空間内に延在でき、また、各コネクタの電力バスウェイコネクタ５１５Ａ、５１５Ｂは、エンクロージャの内部空間を通って延びる１つまたは複数の母線と係合できる。１つまたは複数の回路５１９Ａ、５１９Ｂは、一端で、電力バスウェイコネクタ５１５Ａ、５１５Ｂの１つまたは複数に結合でき、他端で、電力インタフェース５１８Ａ、５１８Ｂに結合でき、その結果、タップボックスアセンブリ５１０Ａ、５１０Ｂの１つまたは複数の電力バスウェイコネクタ５１５Ａ、５１５Ｂは、電力ケーブル５３０に電気的に結合できる。本明細書において、２つの要素を電気的に結合すると言うことは、２つの要素間の電気的接続を確立するとも言うことができ、これによって、電気的接続を介した２つの要素間の電力配分が可能になる。ｘｘ一例においては、１つのタップボックスアセンブリ５１０Ａの電力バスウェイコネクタ５１５Ａが、母線に電気的に結合する電力バスウェイコネクタ５１５Ａを含み得る電力バスウェイセグメントの母線に係合されると、その母線が運ぶ電力は、コネクタ５１５Ａ及び結合された回路５１９Ａに少なくとも部分的に基づいて、各タップボックスアセンブリ５１０Ａのコネクタ５１４Ａ、タップボックスハウジング５１２Ａ、及び、インタフェース５１８Ａを通して配分できる。電力は、インタフェース５１８Ａから結合済の電圧供給線５３０を通してさらに配分でき、結合済の個別のタップボックスアセンブリ５１０Ｂを通って、タップボックスアセンブリ５１０Ｂの１つまたは複数のコネクタ５１５Ｂに電気的に結合された個別の電力バスウェイセグメントの母線に配分できる。ある実施形態においては、電圧供給線は、１つまたは複数の電力ケーブルを含む。
【００６７】
１つまたは複数のスイッチングデバイスが、タップボックスアセンブリの１つまたは複数に備えられてよく、ある実施形態においては、スイッチングデバイスは、個別のタップボックスアセンブリ５１０Ａ、５１０Ｂの個別の電力バスウェイコネクタ５１５Ａ、５１５Ｂを互いに選択的に電気的に結合または分離するように調整可能に位置するよう構成されてよく、それによって、個別のタップボックスアセンブリ５１０Ａ、５１０Ｂがそれぞれ別々に結合され得る電力バスウェイセグメント同士を選択的に電気的に結合する。スイッチングデバイスは、回路５１９Ａ、５１９Ｂの１つまたは複数に備えられてよく、ここで、スイッチングデバイスは、各回路５１９を選択的に開閉するように調整可能に位置するよう構成されてよく、それによって、各回路の個別の端部に結合されたコンポーネントを選択的に電気的に結合または分離する。ある実施形態においては、スイッチングデバイスは、タップボックスアセンブリ５１０Ａ、５１０Ｂのタップボックスハウジング５１２Ａ、５１２Ｂの１つまたは複数に備えられる。
【００６８】
図５Ｂは、電力バスウェイアセンブリ５００の個別の電力バスウェイセグメント５５０Ａ、５５０Ｂに結合された電力バスウェイインターポーザ５０１を示す。個別のタップボックスアセンブリ５１０Ａ、５１０Ｂが、それぞれ、個別の結合要素５１６Ａ、５１６Ｂを介して、個別の電力バスウェイセグメント５５０Ａ、５５０Ｂの個別のエンクロージャに別々に結合されることによって、個別のタップボックスアセンブリ５１０Ａ、５１０Ｂのそれぞれの個別のプラグヘッド５１４Ａ、５１４Ｂは、各電力バスウェイセグメント５５０Ａ、５５０Ｂの内部空間に挿入され、各タップボックスアセンブリ５１０Ａ、５１０Ｂの１つまたは複数の電力バスウェイコネクタ５１５Ａ、５１５Ｂは、各電力バスウェイセグメント５５０Ａ、５５０Ｂの内部空間を通って延びる１つまたは複数の母線５５２Ａ、５５２Ｂと係合する。結果として、個別の電力バスウェイセグメント５５０Ａ、５５０Ｂの個別の母線５５２Ａと５５２Ｂは、個別のタップボックスアセンブリ５１０Ａ、５１０Ｂと１つまたは複数の電力ケーブルを含み得る電圧供給線５３０とを介して結合され、それによって、個別のタップボックスアセンブリ５１０Ａと５１０Ｂを結合する。
【００６９】
ある実施形態においては、電力バスウェイアセンブリ５００は、図１に示す電力バスウェイアセンブリ１１０に含まれる。例えば、電力バスウェイセグメント５５０Ａは、アセンブリ１１０の遠位電力バスウェイセグメント１１２Ａであってよい。 
【００７０】
図５Ｂに示す実施形態においては、各タップボックスアセンブリ５１０Ａ、５１０Ｂは、個別のスイッチングデバイスセット５１７Ａ、５１７Ｂを備える。スイッチングデバイスセット５１７Ａ、５１７Ｂは、それぞれ、独立して調整可能に位置して、各アセンブリ５１０Ａ、５１０Ｂの電力バスウェイコネクタ５１５Ａ、５１５Ｂの１つまたは複数を電圧供給線５３０に選択的に電気的に結合できる。アセンブリ５１０Ａ、５１０Ｂのそれぞれのスイッチングデバイス５１７Ａ、５１７Ｂが、個別のタップボックスアセンブリ５１０Ａ、５１０Ｂの各電力バスウェイコネクタ５１５Ａ、５１５Ｂを電圧供給線５３０に電気的に結合する閉位置にある場合、個別の電力バスウェイコネクタ５１５Ａと５１５Ｂは、電気的に結合でき、それによって、個別のコネクタ５１５Ａ、５１５Ｂが電気的に結合される個別の母線５５２Ａと５５２Ｂを電気的に結合する。
【００７１】
電力バスウェイインターポーザ５０１は、２つ以上の個別の電力バスウェイセグメントを選択的に電気的に結合することを可能にし得る、その結果、電力バスウェイセグメントの少なくとも１つの通電を維持しながら、電力を個別の電力バスウェイセグメント間に配分できる。このような結合は、インターポーザのタップボックスアセンブリの１つを通電中の電力バスウェイセグメントに結合することを含み得る。ここで、タップボックスアセンブリのスイッチングデバイスは、開位置にあり、その後、電圧供給線を介して第１のタップボックスアセンブリに結合された他のタップボックスアセンブリを非通電の他の個別の電力バスウェイセグメントに結合する。結合済のタップボックスアセンブリの少なくとも１つのスイッチングデバイスは、他のタップボックスアセンブリを非通電の電力バスウェイセグメントに結合している間、開位置となり得るので、電力バスウェイインターポーザに備えられたタップボックスアセンブリは、他のタップボックスアセンブリが結合されている通電中の電力バスウェイセグメントから電気的に分離されていてよい。結果として、個別の結合済のタップボックスアセンブリを備えるインターポーザは、１つのタップボックスアセンブリが通電中の電力バスウェイセグメントに結合されている場合、結合要素が非通電の電力バスウェイセグメントの母線に接続している時、非通電であるコネクタと結合要素を含むタップボックスアセンブリを備えてよい。タップボックスアセンブリを非通電の電力バスウェイセグメントに結合した後、電力バスウェイインターポーザの１つまたは複数のスイッチングデバイスは、閉位置に調整可能に位置して、個別のタップボックスアセンブリの電力バスウェイコネクタ同士を電気的に結合でき、その結果、個別のアセンブリが結合されている個別の母線は、電気的に結合される。結果として、個別の電力バスウェイセグメントの１つを通電する場合、個別の電力バスウェイセグメントの個別の母線を電気的に結合することによって、それぞれ、個別の電力バスウェイセグメントの各電力バスウェイセグメントに結合されるインターポーザの結合済のタップボックスアセンブリを介して、通電中の電力バスウェイセグメントから受け取る電力によって非通電の電力バスウェイセグメントを通電できる。
【００７２】
例えば、電力バスウェイセグメント５５０Ａが通電していて、電力が母線５５２Ａによって運ばれている場合、タップボックスアセンブリ５１０Ａは、結合要素５１６Ａを介してセグメント５５０Ａのエンクロージャに物理的に結合して、プラグヘッド５１４Ａはセグメント５５０Ａの内部空間に位置し、また、電力バスウェイコネクタ５１５Ａは通電中の母線５５２Ａと係合するように位置することができ、それによって、電力バスウェイコネクタ５１５Ａを母線５５２Ａに電気的に結合させて、電力バスウェイコネクタ５１５Ａを通電する。１つまたは複数のスイッチングデバイス５１７Ａは、開位置にあってよく、その結果、タップボックスアセンブリ５１０Ｂは、通電中の電力バスウェイコネクタ５１５Ａから電気的に分離されたままで、電力バスウェイコネクタ５１５Ｂは非通電に終わる。タップボックスアセンブリ５１０Ａをセグメント５５０Ａに結合後、タップボックスアセンブリ５１０Ｂは、非通電の電力バスウェイセグメント５５０Ｂに結合できて、その結果、アセンブリ５１０Ｂの非通電の電力バスウェイコネクタ５１５Ｂは、セグメント５５０Ｂの非通電の母線５５２Ｂに係合される。１つまたは複数のスイッチングデバイス５１７Ａ、５１７Ｂは、次に、閉位置に調整可能に位置して、タップボックスアセンブリ同士を電気的に結合でき、それによって、インターポーザ５０１を介した母線５５２Ａから母線５５２Ｂへの電力配分を可能にして、電力バスウェイセグメント５５０Ｂを通電する。
【００７３】
ある実施形態においては、タップボックスアセンブリを備える電力バスウェイインターポーザを介して個別の電力バスウェイセグメントを結合することは、結合された個別の電力バスウェイセグメントの隣り合う端部間に絶縁要素を取り付けることを含み得る。図示の実施形態に示すように、個別のタップボックスアセンブリを備える電力バスウェイインターポーザ５０１は、２つのセグメントと共通の高さで２つのセグメント間に延在しない場合があり、図２〜図４に示すインターポーザ等、隣り合う個別のバスウェイセグメント等の隣り合う端部を通って延在しない場合があり、２つのセグメント５５０Ａ、５５０Ｂより低い高さで個別のセグメント５５０Ａ、５５０Ｂ間に延在する図示のインターポーザ５０１を含む、個別の高さで個別のセグメント間に延在する。結果として、個別のセグメント５５０Ａ、５５０Ｂの隣り合う端部５５４Ａ、５５４Ｂは、開いた空間によって分かれ得る。ある実施形態においては、母線５５２Ａ、５５２Ｂ、インターポーザ５０１等を通して配分される電力供給は、隣り合う端部５５４Ａと５５４Ｂ間で電気アークが起こり得る十分な電流、電圧等を有する。結果として、絶縁要素５６０が、インターポーザ５０１によって結合された個別の電力バスウェイセグメント５５０Ａ、５５０Ｂの隣り合う端部５５４Ａ、５５４Ｂ間に取り付けられて、個別の電力バスウェイセグメントの個別の母線５５２Ａ、５５２Ｂ間の隣り合う端部５５４Ａ、５５４Ｂを通した電気アークのリスクを軽減してよい。絶縁要素は、任意の既知の絶縁材を含んでよい。ある実施形態においては、絶縁要素５６０は、個別の電力バスウェイセグメント５５０Ａ、５５０Ｂの隣り合う端部５５４Ａ、５５４Ｂの一方または両方に物理的に結合される。ある実施形態においては、絶縁要素５６０は、電力バスウェイインターポーザ５０１に備えられる。例えば、絶縁要素は、タップボックスアセンブリ５１０Ａ、５１０Ｂ、電圧供給線５３０等の１つまたは複数に結合できる。
【００７４】
ある実施形態においては、電力バスウェイインターポーザは、１つの電力バスウェイセグメントによって運ばれる電力供給の全てを他の結合された電力バスウェイセグメントに運ぶように構成される。例えば、電力バスウェイセグメント５５０Ａが、８００アンペアの電力供給を運んでいる母線５５２Ａを備える場合、インターポーザ５０１は、結合された電力バスウェイセグメント５５０Ａ、５５０Ｂ間の８００アンペアの電力供給の全てを実質的に運ぶように構成でき、その結果、セグメント５５０Ｂの母線５５２Ｂは、８００アンペアの電力供給の全てを実質的に運ぶ。本明細書において、電力供給の全てを実質的に運ぶということは、電力供給を運んでいる要素の製造公差及び材料公差の範囲内で電力供給の全てを運ぶことを含む。
【００７５】
ある実施形態においては、１つまたは複数のタップボックスアセンブリ５１７Ａ、５１７Ｂは、既に通電中の電力バスウェイセグメントに結合できる。例えば、図示の電力バスウェイセグメント５５０Ａは、端部５７９に結合された電源５８０を介して電力を受け取ることができ、その結果、母線５５２Ａは、通電され、受け取った電力を運ぶ。通電中の電力バスウェイセグメント５５０Ａは、１つまたは複数のタップボックスアセンブリを介して、電力を１つまたは複数の電気負荷に配分できる。１つまたは複数のタップボックスアセンブリは、母線５５２Ａの１つまたは複数と電気的に結合して、結合した母線から１つまたは複数の電気負荷に電力を配分する。図示の実施形態においては、タップボックスアセンブリ５２０は、電力バスウェイセグメント５５０Ａのエンクロージャに結合要素５２３を介して結合されるタップボックスハウジング５２２を備える。バスウェイコネクタ５２４は、タップボックス５２２を結合要素５２３を介してセグメント５５０Ａに結合すると、バスウェイセグメント５５０Ａの内部空間に挿入される。コネクタ５２４は、１つまたは複数の個別の結合要素５２５を備え、各結合要素５２５は、個別の母線５５２Ａと別々に係合して、その母線と電気的に結合でき、それによって、タップボックスアセンブリ５２０を通電中の電力バスウェイセグメント５５０Ａに電気的に結合する。
【００７６】
タップボックスアセンブリ５２０は、ハウジング５２２とコネクタ５２４とを通って延在して１つまたは複数の結合要素５２５と結合する１つまたは複数の回路５２８を備え、結合要素５２５で結合した母線５５２Ａから受け取った電力は、１つまたは複数の回路５２８を介してコネクタ５２４とハウジング５２２とを通して配分できる。タップボックスアセンブリ５２０は、１つまたは複数の電力ケーブル５２６を備え、電力ケーブル５２６は、タップボックスハウジングに結合されて、回路５２８に電気的に結合され、その結果、母線５５２Ａから結合要素５２５で受け取られた電力は、回路５２５を介して電力ケーブル５２６に配分できる。電力ケーブル５２６は、１つまたは複数の電気負荷に結合されて、セグメント５５０Ａに電気的に結合されるタップボックスアセンブリ５２０を介して、セグメント５５０Ａの母線５５２Ａの１つまたは複数を電気負荷に電気的に結合できる。ある実施形態においては、回路５２８は、回路ブレーカを含む１つまたは複数のスイッチングデバイスを備えることができ、スイッチングデバイスは、電力ケーブル５２６を介してタップボックスアセンブリ５２０に結合される電気負荷を、電力バスウェイセグメント５５０Ａから選択的に電気的に結合または切り離す。このようなスイッチングデバイスは、タップボックスハウジング５２２に備えられてよい。
【００７７】
ある実施形態においては、電力バスウェイインターポーザの１つまたは複数のコネクタは、通電中の電力バスウェイセグメントの通電中の母線に結合される。電力バスウェイインターポーザがタップボックスアセンブリを備える場合、通電中の電力バスウェイセグメントとのこのような結合は、タップボックスアセンブリコネクタを電力バスウェイセグメントの通電中の母線に結合することを含み得る。例えば、図示の実施形態においては、電力バスウェイセグメント５５０Ａが通電中で、通電中の母線５５２Ａから１つまたは複数の電気負荷にタップボックスアセンブリ５２０を介して電力を配分している場合、インターポーザ５０１は、タップボックスアセンブリ５１０Ａを通電中のセグメント５５０Ａに結合することを介して、通電中の電力バスウェイセグメント５５０Ａに結合することができて、その結果、プラグヘッド５１４Ａは、セグメント５５０Ａの内部空間内に位置して、コネクタ５１５Ａを通電中の母線５５２Ａに係合する。
【００７８】
図６は、ある実施形態によると、スイッチングデバイスコンポーネントを介して結合された個別のタップボックスアセンブリを備える電力バスウェイインターポーザを示す。個別のタップボックスアセンブリは、個別の電力バスウェイセグメントに結合して、タップボックスアセンブリとスイッチングデバイスコンポーネントを介して電力バスウェイセグメント間の電力配分を可能にする。
【００７９】
電力バスウェイアセンブリ６００は、個別の電力バスウェイセグメント６１０Ａ、６１０Ｂと、電力バスウェイインターポーザ６２０とを備える。電力バスウェイインターポーザ６２０は、インターポーザ６２０の個別のタップボックスアセンブリ６２１Ａ、６２１Ｂで、個別のセグメント６１０Ａ、６１０Ｂを通って延びる個別の母線セット６１２Ａ、６１２Ｂと少なくとも部分的に結合することに基づいて、個別のセグメント６１０Ａと６１０Ｂを結合する。
【００８０】
ある実施形態においては、個別のタップボックスアセンブリを備える電力バスウェイインターポーザは、個別の端部で個別のタップボックスアセンブリ６２１Ａ、６２１Ｂに結合されるブリッジ要素６２７と、個別のタップボックスアセンブリ６２１Ａ、６２１Ｂの電力バスウェイコネクタ６２３Ａ、６２３Ｂの１つまたは複数に電気的に結合できる１つまたは複数の様々な回路６２６Ａ、６２６Ｂとを備える。回路６２６Ａ、６２６Ｂは、それぞれ、一端で、ブリッジ要素６２７に備えられる１つまたは複数のスイッチングデバイス６２８の個別の端部に結合できる。ここで、スイッチングデバイス６２８は、スイッチングデバイス６２８の個別の端部に結合された個別の回路６２６Ａ、６２６Ｂを選択的に電気的に結合または電気的に分離するように調整可能に位置するよう構成される。結果として、スイッチングデバイス６２８は、インターポーザ６２０の個別のタップボックスアセンブリ６２１を選択的に電気的に結合または電気的に分離することができ、それによって、個別の各電力バスウェイコネクタ６２３Ａ、６２３Ｂを介して個別のタップボックスアセンブリ６２１Ａ、６２１Ｂが結合される個別のバスウェイセグメント６１０Ａ、６１０Ｂを選択的に電気的に結合することができる。さらに、図示の実施形態に示すように、タップボックスアセンブリ６２１Ａ、６２１Ｂは、各アセンブリ６２１にスイッチングデバイスを備えなくてもよく、スイッチングデバイス６２８の１つのセットが、個別のアセンブリ６２１Ａ、６２１Ｂの電力バスウェイコネクタ６２３Ａ、６２３Ｂを選択的に電気的に結合するよう調整可能に位置してよい。
【００８１】
ある実施形態においては、ブリッジ要素６２７は、個別のタップボックスアセンブリ６２１Ａ、６２１Ｂ間に延在する剛性のハウジングである。ここで、ブリッジ要素６２７は、個別のタップボックスアセンブリ６２１Ａ、６２１Ｂの個別のタップボックスハウジング６２５Ａ、６２５Ｂに両端で結合される。結果として、インターポーザ６２０の個別のタップボックスアセンブリ６２１Ａ、６２１Ｂは、剛性のブリッジ要素６２７がタップボックスアセンブリ６２１Ａ、６２１Ｂのそれぞれの相対位置を互いに対して固定し得るので、個別の電力バスウェイセグメントに同時に結合されてよい。例えば、タップボックスアセンブリ６２１Ａの結合要素６２４Ａが、電力バスウェイセグメント６１０Ａのエンクロージャに結合されて、その結果、プラグヘッド６２２Ａがセグメント６１０Ａの内部空間内に位置して、電力バスウェイコネクタ６２３Ａが母線６１２Ａの１つまたは複数に係合するように位置する場合、ブリッジ要素６２７によってアセンブリ６２１Ａに対して固定の位置に保持される他のタップボックスアセンブリ６２１Ｂは、結合要素６２４Ｂを介して、電力バスウェイセグメント６１０Ｂのエンクロージャに同時に結合されてよく、その結果、プラグヘッド６２２Ｂは、セグメント６１０Ｂの内部空間内に位置して、電力バスウェイコネクタ６２３Ｂは、母線６１２Ｂの１つまたは複数と係合するように位置する。従って、電力バスウェイコネクタ６２３Ａ、６２３Ｂは、個別の電力バスウェイセグメント６１０Ａ、６１０Ｂの個別の内部空間に同時に位置して、個別の電力バスウェイセグメント６１０Ａ、６１０Ｂの個別の各母線６１２Ａ、６１２Ｂと接続できる。
【００８２】
スイッチングデバイス６２８は、個別のバスウェイコネクタ６２３Ａと６２３Ｂを電気的に分離するように開位置に調整可能に位置してよく、その結果、１つの電力バスウェイコネクタセット６２３Ａを通電中の母線６１２Ａに結合しても、電力バスウェイコネクタ６２３Ｂは通電されない。個別のタップボックスアセンブリ６２１Ａ、６２１Ｂが個別の電力バスウェイセグメント６１０Ａ、６１０Ｂに結合されて、個別のタップボックスアセンブリ６２１Ａ、６２１Ｂの個別の電力バスウェイコネクタ６２３Ａ、６２３Ｂが、それぞれ、個別の母線セット６１２Ａ、６１２Ｂに結合された後、スイッチングデバイス６２８は、閉位置に調整可能に位置して、電力バスウェイコネクタ６２３Ａと６２３Ｂをブリッジ要素６２７を介して電気的に結合することができる。結合された母線６１２Ａ、６１２Ｂの１つを通電する場合、スイッチングデバイス６２８を、閉位置に位置して、個別の電力バスウェイコネクタ６２３Ａと６２３Ｂを電気的に結合することによって、タップボックスアセンブリ６２１Ａ、６２１Ｂとブリッジ要素６２７とを介して通電中の電力バスウェイセグメントから他の電力バスウェイセグメントに電力を配分することに少なくとも部分的に基づいて、結合された母線６１２Ａ、６１２Ｂの他の１つを通電できる。
【００８３】
ある実施形態においては、絶縁要素６３０は、インターポーザ６２０、電力バスウェイセグメント６１０Ａ、６１０Ｂの１つまたは複数の構造負荷の少なくとも一部を支持ブラケット６４２を介して固定構造に移す支持要素６４０、結合要素６４３、アンカー６４４等の１つまたは複数に含まれる。ある実施形態においては、絶縁要素６３０は、絶縁要素６３０の両側にある個別の結合要素６３２Ａ、６３２Ｂを介して、個別の電力バスウェイセグメント６１０Ａ、６１０Ｂの隣り合う端部と物理的に結合する。
【００８４】
ある実施形態においては、電力バスウェイアセンブリ６００は、図１に示す電力バスウェイアセンブリ１１０に含まれる。例えば, 電力バスウェイセグメント６１０Ａは、アセンブリ１１０の遠位電力バスウェイセグメント１１２Ａであってよい。
【００８５】
図７は、ある実施形態によると、電力バスウェイアセンブリを電気負荷に電力支援を提供するように構成し、かつ、電気負荷への電力支援を維持しながら、その電力バスウェイアセンブリを延長することを示す。電力バスウェイアセンブリを構成することは、図１から図６で上記に示したように、様々な電力バスウェイアセンブリ、セグメント、インターポーザ等の１つまたは複数を構成することを含み得る。
【００８６】
７０２において、１つまたは複数の電力バスウェイセグメントが、通路空間の１つまたは複数の部分を通って延びる電力バスウェイアセンブリを含むように、通路空間に設置される。電力バスウェイセグメントは、内部空間を少なくとも部分的に囲む１つまたは複数のエンクロージャを備えてよく、１つまたは複数の母線が、その内部空間を通って延びる。アセンブリを含む電力バスウェイセグメントは、隣り合う端部で直列に結合された２つ以上の電力バスウェイセグメントを含み得る。セグメントの１つは、近位電力バスウェイセグメントと呼ばれ、通路空間の端部まで延びてよく、そのセグメントの近位端で給電ボックスに結合できる。セグメントの他の１つのセグメントは、遠位電力バスウェイセグメントと呼ばれ、アセンブリの反対側の端部であってよく、また、電力バスウェイアセンブリの遠位端でもあり得るそのセグメントの遠位端で終了してよい。
【００８７】
７０４において、電力バスウェイインターポーザは、電力バスウェイインターポーザの１つまたは複数の電力バスウェイコネクタセットを介して、電力バスウェイアセンブリの電力バスウェイセグメントに結合される。電力バスウェイインターポーザは、遠位電力バスウェイセグメントに結合できる。電力バスウェイインターポーザは、図２、図３に示すように、バスウェイの遠位端にスライド可能に挿入されるように構成されて、１つまたは複数の電力バスウェイコネクタを遠位電力バスウェイセグメントの１つまたは複数の母線にスライド可能に係合させることができる。電力バスウェイインターポーザは、タップボックスアセンブリを備えてよく、タップボックスアッセンブリは、図５、図６に示すように、バスウェイのエンクロージャに結合されるように構成されて、電力バスウェイセグメントの母線の１つまたは複数に電気的に結合するように１つまたは複数の結合要素を位置させる。電力バスウェイインターポーザは、１つまたは複数のスイッチングデバイスを備えることができ、１つまたは複数のスイッチングデバイスは、インターポーザを電力バスウェイセグメントに結合するのと同時に開位置にされ、その結果、インターポーザの電力バスウェイコネクタの少なくとも１つのセットが、インターポーザが結合される電力バスウェイセグメントの母線と結合しているコネクタから電気的に分離される。
【００８８】
７０６において、電力バスウェイセグメントの１つまたは複数は、電源に結合される。結合は、近位端を含む電力バスウェイセグメントの１つまたは複数の端部を給電ボックスに結合することと、電源に電気的に結合されている電圧供給線に給電ボックスを結合することとを含み得る。その結果、電力を電源から、電圧供給線、給電ボックスを通って、電力バスウェイセグメントに含まれる１つまたは複数の母線に配分できる。
【００８９】
７０８において、電力バスウェイアセンブリの１つまたは複数の電力バスウェイセグメントが通電される。通電は、アセンブリの近位電力バスウェイセグメントの近位端に結合された給電ボックスを介して、電源から電力バスウェイアセンブリの様々な電力バスウェイセグメントに電力を配分することを含み得る。電力バスウェイアセンブリの電力バスウェイセグメントが、それぞれ、直列に結合される場合、電源からの電力は、遠位電力バスウェイセグメントを含む様々な電力バスウェイセグメントを通して配分できる。少なくとも１セットの電力バスウェイコネクタが、遠位電力バスウェイセグメントを含む通電中の電力バスウェイセグメントの１つまたは複数に結合される場合、通電中の電力バスウェイセグメントに係合された少なくとも電力バスウェイコネクタが通電されてよい。電力バスウェイインターポーザが、開位置にあるスイッチングデバイスを備えて、通電中の電力バスウェイコネクタを他の１つまたは複数の電力バスウェイコネクタから分離している場合、他の１つまたは複数の電力バスウェイコネクタは、非通電のままであってよい。
【００９０】
７１０〜７１２において、１つまたは複数のタップボックスアセンブリが、電力バスウェイアセンブリの１つまたは複数の通電中の電力バスウェイセグメントに結合され、１つまたは複数の電力ケーブルを介して１つまたは複数の電気負荷に結合されて、電力バスウェイセグメントの通電中の母線の１つまたは複数から１つまたは複数の電気負荷に電力を配分する。結果として、電力バスウェイアセンブリの電力バスウェイセグメントの１つまたは複数は、１つまたは複数の電気負荷に電力支援を提供する。電気負荷は、１つまたは複数のラックコンピュータシステム、電力配分装置、自動切替スイッチ等を含み得る。
【００９１】
７１４において、通路空間の追加の部分に電力バスウェイアセンブリを延長するか否かに関する決定が行われる。このような決定は、通路空間の追加の部分に電気負荷を設置するか否かに関する決定に少なくとも部分的に基づいてよい。通路空間の追加の部分に電気負荷を設置するという決定は、１つまたは複数の電気負荷が、通路空間に運ぶために入荷した、通路空間に運ぶために注文された、通路空間に近い場所で受け取られた等を示すものを受信することを含み得る。通路空間の追加の部分は、電気負荷及び電力バスウェイアセンブリをそれまでは備えておらず、将来、電気負荷を設置してよい位置を画定する位置を含んでいてよい。
【００９２】
７１６において、電力バスウェイアセンブリを延長するという決定に少なくとも部分的に基づいて、追加の電力バスウェイセグメントが、電力バスウェイアセンブリの遠位電力バスウェイセグメントに近い位置で通路空間に設置できる。絶縁要素は、遠位電力バスウェイセグメントと追加の電力バスウェイセグメントとの隣り合う端部間に取り付けることができる。遠位電力バスウェイセグメントの遠位端に隣り合う追加の電力バスウェイセグメントの端部は、追加の電力バスウェイセグメントの近位端と称してよい。電力バスウェイインターポーザは、追加の電力バスウェイセグメントの反対側の遠位端に結合されてよい。追加の電力バスウェイセグメントは、追加の電力バスウェイセグメントの母線、ひいては、セグメント自体が非通電であるように、いずれの電源にも電気的に結合されなくてよい。このような追加の電力バスウェイセグメントは、非通電の追加の電力バスウェイセグメントと称してよい。
【００９３】
７１８において、電力バスウェイアセンブリの電力バスウェイセグメントの１つまたは複数に結合された電力バスウェイインターポーザの１つまたは複数の電力バスウェイコネクタが、追加の電力バスウェイセグメントに係合される。電力バスウェイコネクタを電力バスウェイセグメントに係合することは、電力バスウェイコネクタを電力バスウェイセグメントに含まれる母線に係合することを含む。１つまたは複数の電力バスウェイセグメントに係合された電力バスウェイコネクタは、遠位電力バスウェイセグメントの１つまたは複数の通電中の母線と係合した１つまたは複数の通電中の電力バスウェイコネクタから電気的に分離された１つまたは複数の非通電の電力バスウェイコネクタを含み得る。追加の電力バスウェイセグメントと係合された電力バスウェイコネクタは、インターポーザの１つまたは複数のスイッチングデバイスを介して、１つまたは複数の通電中の電力バスウェイコネクタに結合され、かつ、電気的に分離された１つまたは複数の遠位電力バスウェイコネクタを含み得る。従って、追加の電力バスウェイセグメントが非通電であることに加えて、追加の電力バスウェイセグメントと係合された電力バスウェイコネクタを非通電にすることができる。
【００９４】
７２０において、電力バスウェイインターポーザに備えられた１つまたは複数のスイッチングデバイスは、インターポーザの個別の電力バスウェイコネクタを電気的に結合することを介して、追加の電力バスウェイセグメントを遠位電力バスウェイセグメントに電気的に結合するように、調整可能に位置してよい。遠位電力バスウェイセグメントを通電して、遠位電力バスウェイセグメントの母線に係合された電力バスウェイコネクタが通電される場合、ｘ非通電の追加の電力バスウェイセグメントであり得る追加の電力バスウェイセグメントを通電中の遠位電力バスウェイセグメントに電気的に結合するようにスイッチングデバイスを電気的に結合する為にスイッチングデバイスを調整可能に位置させることによって、電力バスウェイアセンブリからの電力によって追加の電力バスウェイセグメントを通電することができ、その結果、電力バスウェイアセンブリの少なくとも遠位電力バスウェイセグメントを介して運ばれる電力は、電力バスウェイインターポーザの電気的に結合された電力バスウェイコネクタを介して、追加の電力バスウェイセグメントの１つまたは複数の母線に配分される。追加の電力バスウェイセグメントが、少なくとも電力バスウェイインターポーザを介して、電力バスウェイアセンブリの遠位電力バスウェイセグメントに結合される場合、通電中の追加の電力バスウェイセグメントは、電力バスウェイに組み込まれると言ってよく、電力バスウェイアセンブリは、延長されて、追加の電力バスウェイセグメントが電力バスウェイアセンブリの新しい遠位電力バスウェイセグメントとなる。追加の電力バスウェイセグメントを通電することは、電力バスウェイインターポーザの１つまたは複数のスイッチングデバイスを閉位置になるように調整可能に位置させて、通電中の電力バスウェイセグメントの１つまたは複数の母線と係合した１つまたは複数の電力バスウェイコネクタを追加の電力バスウェイセグメントの１つまたは複数の母線と結合された１つまたは複数の電力バスウェイコネクタと電気的に結合することを含み得る。
【００９５】
本開示の実施形態は、以下の条項を考慮して説明できる。
１．データセンタであって、
通路空間であって、前記通路空間の少なくとも一部を通って延在するラックコンピュータシステム列を備える前記通路空間と、
前記通路空間の前記少なくとも一部を通って延在し、直列に結合された複数の通電中の電力バスウェイセグメントを含む通電中の電力バスウェイアセンブリであって、
前記通電中の電力バスウェイアセンブリは、前記電力バスウェイアセンブリの近位端で電源から受け取った電力を前記ラックコンピュータシステム列に配分するように構成され、
前記複数の通電中の電力バスウェイセグメントは、前記電力バスウェイアセンブリの遠位端に通電中の遠位電力バスウェイセグメントを含む、
前記通電中の電力バスウェイアセンブリと、
電力バスウェイインターポーザであって、
前記電力バスウェイアセンブリの前記遠位端で、追加の電力バスウェイセグメントを、前記通電中の遠位電力バスウェイセグメントから電気的に分離されるように、前記通電中の遠位電力バスウェイセグメントに結合し、かつ、
前記結合後、前記追加の電力バスウェイセグメントを前記通電中の遠位電力バスウェイセグメントに選択的に電気的に結合して、前記追加の電力バスウェイセグメントを通電するように
構成された前記電力バスウェイインターポーザと、
を備える、前記データセンタ。
【００９６】
２．前記電力バスウェイインターポーザは、
複数の個別の電力バスウェイコネクタであって、それぞれ、個別の電力バスウェイセグメントと結合して、前記追加の電力バスウェイセグメントを前記通電中の遠位電力バスウェイセグメントに結合させるように構成された前記複数の個別の電力バスウェイコネクタを備え、
前記複数の個別の電力バスウェイコネクタの各電力バスウェイコネクタは、個別の電力バスウェイセグメントの端部にスライド可能に挿入されて前記個別の電力バスウェイセグメントの少なくとも１つの母線とスライド可能に係合するように構成される、
条項１に記載のデータセンタ。 
【００９７】
３．前記電力バスウェイインターポーザは、 
少なくとも２つの個別のタップボックスアセンブリと、
前記少なくとも２つの個別のタップボックスアセンブリを電気的に結合する少なくとも１つの電圧供給線と、を備え、
前記追加の電力バスウェイセグメントを前記通電中の遠位電力バスウェイセグメントに結合させるために、前記電力バスウェイインターポーザは、前記個別のタップボックスアセンブリのそれぞれを、個別の電力バスウェイセグメントに結合するように構成される、
先行条項のいずれかに記載のデータセンタ。
【００９８】
４．前記電力バスウェイインターポーザは、前記追加の電力バスウェイセグメントを前記通電中の遠位電力バスウェイセグメントに結合して、前記通路空間の少なくとも１つの追加の部分を通って前記電力バスウェイアセンブリを増分的に延長することを可能にする、
先行条項のいずれかに記載のデータセンタ。 
【００９９】
５．電力バスウェイインターポーザを備える装置であって、前記電力バスウェイインターポーザは、少なくとも２つの個別の電力バスウェイセグメント同士を結合して、前記結合された電力バスウェイセグメントの少なくとも１つを前記結合された電力バスウェイセグメントの個別の通電中の電力バスウェイセグメントを介して、選択的に通電するように構成され、前記電力バスウェイインターポーザは、
少なくとも２つの個別の電力バスウェイコネクタであって、それぞれ、前記少なくとも２つの個別の電力バスウェイセグメントの個別の電力バスウェイセグメントと結合されるように構成された前記少なくとも２つの個別のバスウェイコネクタと、
前記少なくとも２つの個別の電力バスウェイコネクタのそれぞれに結合されたスイッチングデバイスであって、前記少なくとも２つの個別の電力バスウェイコネクタを選択的に電気的に結合して、前記結合した電力バスウェイセグメントの前記少なくとも１つを、前記結合した電力バスウェイセグメントの前記個別の通電中の電力バスウェイセグメントを介して、選択的に通電するように構成された前記スイッチングデバイスと、
を備える、前記装置。
【０１００】
６．前記少なくとも２つの個別の電力バスウェイコネクタのそれぞれは、前記少なくとも２つの個別の電力バスウェイセグメントの個別の電力バスウェイセグメントの端部にスライド可能に挿入されて、前記個別の電力バスウェイセグメントの少なくとも１つの母線にスライド可能に係合するように構成され、前記電力バスウェイインターポーザが、前記電力バスウェイインターポーザが結合される前記少なくとも２つの個別の電力バスウェイセグメントの隣り合う端部間に少なくとも部分的に延在する、条項５に記載の装置。
【０１０１】
７．前記電力バスウェイインターポーザは、
少なくとも２つの個別のタップボックスアセンブリであって、それぞれ、前記少なくとも２つの個別の電力バスウェイコネクタのうちの個別の１つを備え、かつ、電力バスウェイセグメントと結合して、前記個別の電力バスウェイコネクタを前記電力バスウェイセグメントの少なくとも１つの母線に結合するように構成された前記少なくとも２つの個別のタップボックスアセンブリと、
前記少なくとも２つの個別のタップボックスアセンブリ間に少なくとも部分的に延びる少なくとも１つの電圧供給線と、を備え、
前記少なくとも２つの個別の電力バスウェイコネクタを介して前記少なくとも２つの個別のバスウェイセグメント間の電力の配分を選択的に可能にするために、前記電力バスウェイインターポーザは、
前記少なくとも２つの個別のタップボックスアセンブリのそれぞれを前記少なくとも２つの個別のバスウェイセグメントの個別の１つに各電力バスウェイコネクタを介して結合し、かつ、
前記少なくとも２つの個別のバスウェイセグメント同士を前記個別のタップボックスアセンブリと前記少なくとも１つの電圧供給線を介して選択的に電気的に結合するように、
構成される、条項５または６に記載の装置。
【０１０２】
８．前記電圧供給線は、前記少なくとも２つの個別のタップボックスアセンブリ同士を結合する電力ケーブルであって、１つのタップボックスアセンブリから別のタップボックスアセンブリに電力を配分するように構成された前記電力ケーブルを備える、
条項７に記載の装置。
【０１０３】
９．前記電圧供給線は、前記少なくとも２つの個別の電力バスウェイセグメントの少なくとも１つによって運ばれる電力供給の全てを実質的に運ぶように構成される、条項７に記載の装置。
【０１０４】
１０．前記少なくとも２つの個別のバスウェイセグメントの隣り合う端部に取り付けられて、前記少なくとも２つの個別の電力バスウェイセグメントの前記隣り合う端部間の電気アークを防ぐように構成された絶縁要素を備える、
条項７に記載の装置。
【０１０５】
１１．前記電力バスウェイインターポーザは、前記少なくとも１つの電力バスウェイセグメントを通電する前に、前記少なくとも２つの電力バスウェイセグメントの少なくとも１つの電力バスウェイセグメントの端部に前記電力バスウェイコネクタの少なくとも１つを介して、結合され、
前記電力バスウェイコネクタの少なくとも他の１つは、前記スイッチングデバイスを介して前記電力バスウェイコネクタの前記少なくとも１つに結合され、
前記少なくとも２つの個別の電力バスウェイコネクタを介して前記少なくとも２つの個別の電力バスウェイセグメントを選択的に電気的に結合するために、前記電力バスウェイインターポーザは、
前記少なくとも１つの電力バスウェイセグメントを通電し、前記スイッチングデバイスを開位置にすると同時に、前記電力バスウェイコネクタの前記少なくとも他の１つを他の少なくとも１つの電力バスウェイセグメントの他の端部に結合し、
前記電力バスウェイコネクタの前記少なくとも他の１つを前記他の少なくとも１つの電力バスウェイセグメントの他の端部に結合した後、前記スイッチングデバイスを閉位置に調整可能に位置させて、前記通電中の少なくとも１つの電力バスウェイセグメントを前記他の少なくとも１つの電力バスウェイセグメントに電気的に結合する、
ように構成される、条項５〜１０のいずれかに記載の装置。
【０１０６】
１２．前記電力バスウェイインターポーザは、通路空間に少なくとも１セットの電気負荷を設置すると同時に、少なくとも２つの個別の電力バスウェイセグメント同士を電気的に結合して、電力バスウェイアセンブリを延長することによって、前記少なくとも１セットの電気負荷への電力配分を可能にするように構成される、
条項５〜１１のいずれかに記載の装置。 
【０１０７】
１３．通電中の電力バスウェイアセンブリを増分的に延長するように電力バスウェイインターポーザを構成することを含む方法であって、前記通電中の電力バスウェイアセンブリは、少なくとも１つの電力バスウェイセグメントを含み、前記電力バスウェイインターポーザは、近位バスウェイコネクタ、遠位電力バスウェイコネクタ、及び、前記近位バスウェイコネクタと前記遠位電力バスウェイコネクタを選択的に電気的に結合するように構成されたスイッチングデバイスを備え、前記構成することは、 
前記電力バスウェイインターポーザの前記近位電力バスウェイコネクタを前記少なくとも１つの電力バスウェイセグメントに結合することと、
前記近位電力バスウェイコネクタを前記少なくとも１つの電力バスウェイセグメントに結合した後、前記遠位電力バスウェイコネクタを前記近位電力バスウェイコネクタから電気的に分離するように前記スイッチングデバイスを位置させるのと同時に、前記遠位電力バスウェイコネクタを非通電の追加の電力バスウェイセグメントに結合することと、
前記遠位電力バスウェイコネクタを前記非通電の追加の電力バスウェイセグメントに結合した後、前記スイッチングデバイスを調整可能に位置させて、前記近位電力バスウェイコネクタと前記遠位電力バスウェイコネクタを電気的に結合するようにことと、
を含む、前記方法。
【０１０８】
１４．前記近位電力バスウェイコネクタを前記少なくとも１つの電力バスウェイセグメントに結合した後、
前記スイッチングデバイスを調整可能に位置させて、前記遠位電力バスウェイコネクタを前記近位電力バスウェイコネクタから電気的に分離することと、
前記少なくとも１つの電力バスウェイセグメントを
前記近位電力バスウェイコネクタが前記少なくとも１つの電力バスウェイセグメントからの電力を受け取り、かつ、
前記スイッチングデバイスを介して前記近位電力バスウェイコネクタから電気的に分離された前記遠位電力バスウェイコネクタを非通電にするように、
通電することと、
を含む、条項１３に記載の方法。
【０１０９】
１５．近位電力バスウェイコネクタを前記少なくとも１つの電力バスウェイセグメントに結合すること、及び、追加の電力バスウェイセグメントを前記遠位電力バスウェイコネクタに結合することは、少なくとも１つの電力バスウェイコネクタを個別のバスウェイセグメントの端部に挿入して、前記少なくとも１つの電力バスウェイコネクタを、前記各電力バスウェイセグメントの内部空間の少なくとも１つの母線にスライド可能に係合することを含む、
条項１２または１３に記載の方法。
【０１１０】
１６．前記電力バスウェイインターポーザは、
少なくとも２つの個別のタップボックスアセンブリであって、それぞれ、前記近位電力バスウェイコネクタと前記遠位電力バスウェイコネクタの各１つを備え、個別の電力バスウェイセグメントと結合して、前記各電力バスウェイコネクタを前記各電力バスウェイセグメントの少なくとも１つの母線に係合させるように構成される、前記少なくとも２つの個別のタップボックスアセンブリと、
前記少なくとも２つのタップボックスアセンブリ間に少なくとも部分的に延びる少なくとも１つの電圧供給線と、
を備え、
前記近位電力バスウェイコネクタを前記少なくとも１つの電力バスウェイセグメントに結合することは、前記近位電力バスウェイコネクタを含むタップボックスアセンブリを前記少なくとも１つの電力バスウェイセグメントに結合することを含み、
追加の電力バスウェイセグメントを前記遠位電力バスウェイコネクタに結合することは、前記遠位電力バスウェイコネクタを含む前記他の個別のタップボックスアセンブリを前記追加の電力バスウェイセグメントに結合することを含む、
条項１３〜１５のいずれかに記載の方法。
【０１１１】
１７．前記電圧供給線は、前記個別のタップボックスアセンブリ同士を電気的に結合するように構成された電力ケーブルを含んで、前記電力バスウェイインターポーザが、前記少なくとも１つの電力バスウェイセグメントから前記追加の電力バスウェイセグメントに前記電力ケーブルを介して電力を配分するように構成される、
条項１６に記載の方法。
【０１１２】
１８．絶縁要素を前記少なくとも１つの電力バスウェイセグメントの端部に取り付けることと、
前記追加の電力バスウェイセグメントを前記遠位電力バスウェイコネクタに結合する前に、前記追加の電力バスウェイセグメントの端部を前記絶縁要素に取り付けて、前記絶縁要素を前記少なくとも１つの電力バスウェイセグメントと前記追加の電力バスウェイセグメントの隣り合う端部間の電気アークを防ぐように構成することと、
を含む、条項１６に記載の方法。
【０１１３】
１９．前記電圧供給線は、前記少なくとも１つの電力バスウェイセグメントと前記追加の電力バスウェイセグメントとの少なくとも１つによって運ばれる前記電力供給の全てを実質的に運ぶように構成される、条項１６に記載の方法。
【０１１４】
２０．前記通電中の電力バスウェイアセンブリは、ラックコンピュータシステム列を備えるデータセンタの通路空間の部分を通って延在し、
前記少なくとも１つの電力バスウェイセグメントは、前記ラックコンピュータシステム列の少なくとも１つのラックコンピュータシステムに電気的に結合されて、前記通電中の電力バスウェイアセンブリが、前記少なくとも１つの電力バスウェイセグメントを介して前記少なくとも１つのラックコンピュータシステムに電力を配分するように構成され、
追加のラックコンピュータシステムを前記通路空間の前記追加の部分に設置するという決定に少なくとも部分的に基づいて、前記電力バスウェイインターポーザを通電中の電力バスウェイアセンブリを増分的に延長するように構成することは、前記遠位電力バスウェイコネクタを非通電の追加の電力バスウェイセグメントに結合させて、前記通電中の電力バスウェイアセンブリが、前記通路空間の追加の部分を通って延長されて、前記通電中の電力バスウェイアセンブリが前記追加のラックコンピュータシステムに電力を配分するように構成することを含む、
条項１３〜１９のいずれかに記載の方法。
【０１１５】
図面に示し、明細書に記載した様々な方法は、方法の例示の実施形態を表す。方法は、ソフトウェア、ハードウェア、または、その組み合わせで実施されてよい。方法の順序は変更されてよく、様々な要素が、追加、並べ替え、組み合わせ、省略、修正等されてよい。
【０１１６】
上記実施形態は、かなり詳細に記載されているが、上記開示を完全に理解すると多くの変更及び修正が当業者には明らかとなろう。以下の請求項は、このような変更及び修正を全て含むと解釈するものとする。
【図１】
0006502483.tif 000002
【図２】
0006502483.tif 000003
【図３Ａ】
0006502483.tif 000004
【図３Ｂ】
0006502483.tif 000005
【図４】
0006502483.tif 000006
【図５Ａ】
0006502483.tif 000007
【図５Ｂ】
0006502483.tif 000008
【図６】
0006502483.tif 000009
【図７】
0006502483.tif 000010